(57)【特許請求の範囲】
【請求項１】
分離されたＲ・Ｇ・Ｂ各色信号の内から定められた数の色信号のみをフレーム毎に順次選択するスイッチと、送信信号中の１フレームの走査線数を計測する走査線計測回路を備えて、
フレーム毎の送信色信号として、上記選択された色信号のみを送信し、走査線数が所定値以上であれば広帯域伝送であるとして搬送周波数を選択するようにしたことを特徴とする画像送信装置。
【請求項２】
送信信号中の１フレームの走査線数を計測した結果を走査線情報として符号化する符号化回路を備えて、
送信信号中に該走査線情報を多重化して送信するようにしたことを特徴とする請求項１記載の画像送信装置。
【請求項３】
分離されたＲ・Ｇ・Ｂ各色信号を色毎に記憶する送信用バッファメモリを備えて、
上記記憶された色信号を書き込み速度より低速で読み出して色信号を送信するようにしたことを特徴とする請求項１記載の画像送信装置。
【請求項４】
上記画像送信装置は、さらに、
垂直同期信号と水平同期信号とを入力し、入力した垂直同期信号を極性反転し、極性反転した垂直同期信号と入力した水平同期信号との論理積をとり、論理積をとった信号と入力した水平同期信号とを加算し、加算して得られた信号を複合同期信号として出力する同期混合回路と、
上記同期混合回路から出力された複合同期信号と上記選択された色信号とを加算する加算器と、
上記加算器により得られた信号を伝送する伝送回路とを備えた
ことを特徴とする請求項１記載の画像送信装置。
【請求項５】
上記画像送信装置は、さらに、
色信号を上記搬送周波数の２倍の周波数で周波数変調する変調回路と、
前記変調回路により変調された色信号の周波数を１／２にする２分周器とを備えて、
上記搬送周波数で色信号を送信する
ことを特徴とする請求項１記載の画像送信装置。
【請求項６】
上記画像送信装置は、さらに、
各色信号をフレーム毎に順次選択するカウンタと、
上記カウンタにより選択された色信号を書き込み、各色信号を１フレームずつ記憶するメモリとを備えて、
上記メモリに記憶された各色信号のうち上記スイッチにより選択された色信号を１フレームの時間より長い時間送信することを特徴とする請求項１記載の画像送信装置。
【請求項７】
画像送信装置と画像受信装置とを有する画像伝送システムにおいて、
上記画像送信装置は、
分離されたＲ・Ｇ・Ｂ各色信号の内から定められた数の色信号のみをフレーム毎に順次選択するスイッチと、送信信号中の１フレームの走査線数を計測する走査線計測回路を備えて、
フレーム毎の送信色信号として、上記選択された色信号のみを送信し、走査線数が所定値以上であれば広帯域伝送であるとして搬送周波数を選択し、
上記画像受信装置は、
上記搬送周波数が選択される受信処理切換えスイッチと、
上記画像送信装置から送信された色信号を上記受信処理切換えスイッチで選択された搬送周波数で復調する復調回路と、
上記復調回路により復調された色信号を書き込み、各色信号を１フレームずつ記憶するメモリ回路とを備えて、
上記メモリ回路に記憶された各色信号を外部機器へ出力する
ことを特徴とする画像伝送システム。
【発明の詳細な説明】
【０００１】
【発明の属する技術分野】
この発明は例えばコンピュータ等の機器の画像信号を伝送する装置、システムに関するものである。
【０００２】
【従来の技術】
図８５に特開昭６３−０５９２９５に示される従来の画像伝送システムを示す。図８５において、９１はカラーテレビカメラ、９２は第一の切替器、９３は符号器、９４は電話器、９５は伝送制御器、９６は伝送路入出力端、９７は復号器、９８は第二の切替器、９９はカラーテレビディスプレイである。
【０００３】
次に動作について説明する。カラーテレビカメラ１からのＲ・Ｇ・Ｂ三原色コンポーネント信号は、第一の切替器２で切り替えて、１走査線につき１コンポーネント信号を線順次に時分割化する。
図８６はカラーテレビカメラ１からのＲ・Ｇ・Ｂコンポーネント信号の出力波形例を示し、（イ）はＲ（赤）出力波形、（ロ）はＧ（緑）出力波形、（ハ）はＢ（青）出力波形である。また、図８７は第一切替器２で時分割化されたＲ・Ｇ・Ｂ線順次コンポーネント信号の波形例を示し、丸１、丸２、丸３、…は図８６の丸１、丸２、丸３、…の部分に相当する。
【０００４】
図８７で示すようなＲ・Ｇ・Ｂ線順次コンポーネント信号は、白黒テレビ信号符号化するのと同等の符号器で符号化できる。図８５の符号器９３からの画像信号は、電話機９４からの音声信号等と共に伝送制御器９５に入力されて、伝送路に出力できる信号形式に変換、伝送路入出力端９６に出力される。
相手方からの画像信号と音声信号は、伝送路入出力端９６から伝送制御器９５に入力され、この伝送制御器９５から音声信号は電話機９４に、画像信号は復号器９７に入力される。複合器９７で復号される信号は、図８７に示すようなＲ・Ｇ・Ｂ線順次コンポーネント信号で、白黒テレビ信号を復号するのと同等の復号器で復号することができる。
【０００５】
復号された信号は、第２の切替器９８によって、１走査線につき１コンポーネント信号をカラーテレビディスプレイ９９の該当する色入力端に、線順次に分配される。
図８８はカラーテレビディスプレイ９９に入力されるＲ・Ｇ・Ｂ三原色コンポーネント信号の波形例を示し、（イ）はＲ入力波形、（ロ）はＧ入力波形、（ハ）はＢ入力波形である。図８８のように、第２の切替器８から分配されたコンポーネント信号の走査期間以外の他の走査期間は、黒レベルに置き換えられて、カラーテレビディスプレイ９のＲ・Ｇ・Ｂ各入力端に入力され、カラー画像が表示される。
【０００６】
【発明が解決しようとする課題】
従来の例では、Ｒ・Ｇ・Ｂ三原色コンポーネント信号の伝送を時分割化することにより、情報量を１／３にすることができる。しかしながら、走査線を１／３に間引いているので、垂直解像度の低下は免れない。また、カラーテレビディスプレイへの入力信号の間引かれた部分は黒レベルになっており、明るさも１／３になるという課題があった。
【０００７】
この発明は、以上の課題を解決するためになされたもので、Ｒ・Ｇ・Ｂ三原色コンポーネント信号を垂直走査周期に順次送って伝送量は減らすが、受像側で、メモリを使用して、間引かれた部分も前フレームから得られる信号があるようにして、伝送帯域を低減し、情報量の削減を図りつつ、解像度、明るさ両方の低下のない画像伝送装置、システムを得ることを目的とする。
【０００８】
【課題を解決するための手段】
この発明に係る画像受信装置は、分離後のＲ・Ｇ・Ｂ各色の前フレームの色信号を記憶し、再生用に読み出す各色信号毎のメモリと、
送信されてくる複合同期信号から送信されたＲ・Ｇ・Ｂの少なくとも１つの現フレームの色信号を検出して対応スイッチを制御する同期分離回路とを備えて、送信された現フレームの色信号で、対応するメモリの色信号を更新し、かつその色の再生用出力を行うようにした。
【０００９】
この発明に係る画像送信装置は、分離されたＲ・Ｇ・Ｂ各色信号の内から定められた数の色信号のみをフレーム毎に順次選択するスイッチと、送信信号中の１フレームの走査線数を計測する走査線計測回路を備えて、
フレーム毎の送信色信号として、選択された色信号のみを送信し、走査線数が所定値以上であれば広帯域伝送であるとして搬送周波数を選択するようにした。
【００１０】
また更に、受信信号中の１フレームの走査線数を計測する走査線計測回路を備えて、走査線数が所定値以上であれば広帯域伝送であるとして搬送周波数を選択するようにした。
【００１１】
また更に、送信信号中の１フレームの走査線数を計測した結果を走査線情報として符号化する符号化回路を備えて、
送信信号中に走査線情報を多重化して送信するようにした。
【００１２】
また更に、受信信号中の１フレームの走査線数情報を復号する走査線情報復号回路を備えて、走査線数が所定値以上であるという復号結果を得ると、広帯域伝送であるとして搬送周波数を選択するようにした。
【００１３】
また更に、分離されたＲ・Ｇ・Ｂ各色信号毎に送信用バッファメモリを備えて、
送信は、記憶された色信号を書き込み速度より低速で読み出して色信号を送信するようにした。
【００１４】
また更に、各色信号毎のメモリの読み出しクロックを書き込みクロックとは異なる周期も設けて、指定により読み出しクロックを選択するようにした。
【００１５】
この発明に係る画像伝送システムは、分離されたＲ・Ｇ・Ｂ各色信号の内から定められた数の色信号のみをフレーム毎に順次選択するスイッチを備えて、
フレーム毎の送信色信号として、選択された色信号のみを送信するようにした画像送信装置と、
分離後のＲ・Ｇ・Ｂ各色の前フレームの色信号を記憶して再生用に読み出す各色信号毎のメモリと、画像送信装置より送信されてくる複合同期信号から送信されたＲ・Ｇ・Ｂの少なくとも１つの現フレームの色信号を検出して対応スイッチを制御する同期分離回路とを備えて、
送信された現フレームの色信号で、対応するメモリの色信号を更新し、かつその色の再生用出力を行うようにした画像受信装置、とで構成する。
【００１６】
【発明の実施の形態】
実施の形態１．
以下、本発明にかかわる画像伝送装置システムを液晶表示装置を例として、構成と動作を説明する。
図１（Ａ）は、本実施の形態における受像装置と画像伝送システムの概念を示す図である。図において、１０１は送信装置、１１１は受像装置である。図１（Ｂ）は、その詳細構成図である。図において、１ＲはＲ（赤）信号の帰線期間を固定電圧にクランプするクランプ回路、１ＧはＧ（緑）信号のクランプ回路、１ＢはＢ（青）信号のクランプ回路、２は水平同期信号Ｈ、垂直同期信号Ｖを混合し、復号同期信号とする同期混合回路、３は垂直同期信号Ｖの周波数を計数し３垂直走査周期を１周期とする４つのタイミング信号を発生するカウンタ、４はカウンタ３の出力のタイミング信号により切り替えられる３入力のスイッチ、５はスイッチ４、同期混合回路２、カウンタ３の出力である４つのタイミング信号のうちのひとつＩＤ信号を加算する加算器である。以上が送信装置１０１側にある。６は伝送回路である。
以下の要素は受像装置１１１側にあり、７は復調された信号より加算器５で加算されたＩＤ信号および、復号同期信号を分離しかつ、水平、垂直の同期信号に分離し、ＩＤ信号、水平同期信号、垂直同期信号の３つを出力するする同期分離回路、８は水平同期信号に同期したクロック信号を発生するクロック発生回路、９はＡ／Ｄコンバータ、１０はＡ／Ｄコンバータ９の出力を３つのメモリに分配する分配スイッチ、１１は分配スイッチ１０の制御およびメモリの書き込み／読み出しを制御するメモリ制御回路、１２ＲはＲ用メモリ回路、１２ＧはＧ用メモリ回路、１２ＢはＢ用メモリ回路、１３ＲはＲ用Ｄ／Ａコンバータ、１３ＧはＧ用Ｄ／Ａコンバータ、１３ＢはＢ用Ｄ／Ａコンバータ、１４ＲはＲ用増幅回路、１４ＧはＧ用増幅回路、１４ＢはＢ用増幅回路である。
【００１７】
次に動作について説明する。
Ｒ、Ｇ、Ｂ、Ｈ、Ｖで示される入力端子にはパーソナルコンピュータなどのＲ、Ｇ、Ｂの三原色信号、Ｈ、Ｖの水平、垂直同期信号がそれぞれ供給される。Ｒ、Ｇ、Ｂの信号はそれぞれクランプ回路１Ｒ、１Ｇ、１Ｂに供給され、帰線期間の直流電位を固定電位にクランプする。クランプ回路１Ｒ、１Ｇ、１Ｂはたとえば、図２に示す回路構成である。図２において、１Ｒ０１は抵抗、１Ｒ０２はトランジスタ、１Ｒ０３は抵抗、１Ｒ０４はコンデンサ、１Ｒ０５は抵抗、１Ｒ０６は抵抗、１Ｒ０７はトランジスタ、１Ｒ０８はトランジスタ、１Ｒ０９は抵抗、１Ｒ１０はインバータである。抵抗１Ｒ０１、トランジスタ１Ｒ０２、抵抗１Ｒ０３で構成されるエミッタフォロワ回路に供給された、Ｒ信号はコンデンサ１Ｒ０４を介しトランジスタ１Ｒ０８、抵抗１Ｒ０９で構成されるエミッタフォロワ回路に供給される。トランジスタ１Ｒ０８のベースにはエミッタが接地されたトランジスタ１Ｒ０７のコレクタが接続される。トランジスタ１Ｒ０７のベースには、水平同期信号Ｈをインバータ１Ｒ１０で極性反転した信号が抵抗１Ｒ０５、１Ｒ０６で分圧され供給される。
これにより、トランジスタ１Ｒ０７は水平同期信号期間ＯＮとなり、トランジスタ１Ｒ０８のベース電圧はこの期間略々０Ｖに固定される。この直流電位は次の水平同期信号期間まで、コンデンサ１Ｒ０４にて保持されるので、トランジスタ１Ｒ０８のエミッタにあらわれる出力は直流クランプされたものとなる。
【００１８】
図１に戻り、水平同期信号Ｈはまた、垂直同期信号Ｖと共に同期混合回路２に供給される。同期混合回路２はたとえば、排他的論理和回路で構成され、出力は図３のＳＹＮＣに示される復号同期信号となる。
【００１９】
水平同期信号Ｈ、垂直同期信号Ｖはまた、カウンタ３に供給される。カウンタ３は例えば図４に示す構成であり、図４において、３０１は４ビットの同期リセットのカウンタＩＣ、３０２はインバータ、３０３は２入力ＮＯＲゲート、３０４は抵抗、３０５はコンデンサ、３０６はインバータ、３０７は２入力ＡＮＤゲートである。垂直同期信号Ｖは、カウンタＩＣ３０１のクロック入力に供給される。カウンタＩＣ３０１のＱＢ（２1）出力は、インバータ３０２を介しリセット入力端子に供給される。これによりカウンタＩＣ３０１は３進カウンタとして働き、各出力ＱＡ、ＱＢは図５のＧS、ＢSのようになる。２入力ＮＯＲゲート３０３の入力にはカウンタＩＣ３０１のＱＡ、ＱＢ出力が供給されるので２入力ＮＯＲゲート３０３の出力は図５のＲSのようになる。２入力ＮＯＲゲート３０３の出力はまた、抵抗３０４、コンデンサ３０５からなる積分回路にも供給される。積分回路の出力はインバータ３０６により波形整形、極性反転され２入力ＡＮＤゲート３０７の一方の入力に供給される。２入力ＡＮＤゲート３０７のもう一方の入力には、２入力ＮＯＲゲート３０３の出力が供給されているので、２入力ＡＮＤゲート３０７の出力は、２入力ＮＯＲゲート３０３の出力すなわちＲSの立上りエッジ部分の図５のＩＤに示す信号となる。
【００２０】
カウンタ３の出力ＲS、ＧS、ＢSはスイッチ４の切り替え制御信号として供給される。スイッチ４は切り替え制御信号がハイレベルの時対応する接点間がｏｎとなる。従って図５に示すようにＲSがハイレベルのときはクランプ回路１Ｒの出力が、ＧSがハイレベルのときはクランプ回路１Ｇの出力が、ＢSがハイレベルのときはクランプ回路１Ｂの出力がスイッチ４から出力される。これにより、Ｒ、Ｇ、Ｂの信号が時分割化されて一つの信号となる。
【００２１】
この信号と、同期混合回路２の出力である復号同期信号と、カウンタ３のもう一つの出力ＩＤ信号が加算器５に供給され、あらかじめ定められた比で加算され、図６のＳRGBに示す信号を得る。この信号が送信装置の出力となる。
この加算器５の出力ＳRGB、即ち送信装置の出力は、伝送回路６を介し伝送される。
【００２２】
伝送回路６からの画像信号は、受像装置側ではＡ／Ｄコンバータ９に供給され、ディジタル信号に変換される。伝送回路６の出力ＳRGBはまた、同期分離回路７に供給される。同期分離回路７は図７のように構成され、７０１は同期信号分離用コンパレータ、７０２は同期信号分離用基準電圧源、７０３は抵抗、７０４はコンデンサ、７０５は垂直同期信号生成用コンパレータ、７０６は垂直同期信号生成用基準電圧源、、７０７はＩＤ信号分離用コンパレータ、７０８はＩＤ信号分離用基準電圧源、７０９は抵抗、７１０はコンデンサ、７１１はＩＤ信号波形整形用コンパレータ、７１２はインバータ、７１３は２入力ＮＡＮＤゲートである。
ＳRGB信号は同期信号分離用コンパレータ７０１に供給され、図７及び図８丸１の電圧の同期信号分離用基準電圧源７０２と比較し、同期信号が分離され、図８のＨ（ＳＹＮＣ）に示すように出力され、水平同期信号Ｈとして出力される。また、このＨ（ＳＹＮＣ）を抵抗７０３、コンデンサ７０４により積分し（図８ニ）、垂直期信号生成用コンパレータ７０５により図７及び図８丸２の電圧の垂直期信号生成用基準電圧源７０６と比較し、図８のＶに示すように波形整形し、垂直同期信号Ｖがえられる。ＳRGB信号はまた、ＩＤ分離用コンパレータ７０７に供給され、ＩＤ分離用基準電圧源７０８の電圧と比較される。図７及び図８丸３に示すＩＤ分離用基準電圧源７０７の電圧は、＋入力端子に入力されたＳRGB信号のＩＤの先頭値より低く、黒レベルより高く設定されている。従ってＩＤ信号や、映像信号がレベルの高い時ＩＤ分離用コンパレータ７０７の出力はハイレベルとなる（図８イ）。ＩＤ分離用コンパレータ７０７の出力は抵抗７０９、コンデンサ７１０からなる積分回路に供給され、ＩＤ波形整形用コンパレータ７１１により波形整形および、水平同期信号の影響が除去される（図８ハ）。この信号は、２入力ＮＡＮＤゲート７１３の一方の入力に供給され、もう一方には垂直同期信号をインバータ７１２で極性反転したものが供給される。従って、映像信号期間の影響がとり除かれ、２入力ＮＡＮＤゲート７１３の出力にはＩＤ信号が得られる（図８ＩＤ）。
【００２３】
同期分離回路７の出力の垂直同期信号およびＩＤ信号はメモリ制御回路１１に供給される。メモリ制御回路１１は図９のように構成され、１１０１は４ビットのカウンタＩＣ、１１０２は２入力ＮＯＲゲートである。垂直同期信号はカウンタＩＣ１１０１のクロック（ＣＬＫ）入力に供給され計数される。カウンタＩＣ１１０１のリセット（ＲＳＴ）入力にはＩＤ信号が供給されており、ＩＤ信号によりカウンタＩＣ１１０１の計数結果はリセットされる。ＩＤ信号は、ＳRGB信号のＲ信号の先頭にあるので、Ｒ信号期間はカウンタＩＣ１１０１の出力ＱＡ、ＱＢともにローレベル、次に送られるＧ信号期間はＱＡがハイレベル、ＱＢがローレベル、最後に送られるＢ信号期間はＱＡがローレベル、ＱＢがハイレベルとなる３進カウンタとなる。これにより、ＱＡ、ＱＢが入力される２入力ＮＯＲゲート１１０２の出力はＲ信号期間ハイレベルとなり、図４に示すカウンタ３のＲSと同じ信号となる。同様にＱＡはＧS、ＱＢはＢSとなり、出力される。
【００２４】
同期分離回路７の水平同期信号出力Ｈはクロック発生回路８に供給される。図１０に詳細を示し、８０１は電圧制御発振器、８０２は電圧制御発振器８０１の出力を分周する分周器、８０３は分周器８０２の分周数を与える分周比設定回路、８０４は分周器８０２の出力と外部からの信号（ここでは水平同期信号Ｈ）との位相を比較し、位相差を電圧として電圧制御発振器８０１に出力する位相比較器である。以上のようにクロック発生回路８は入力された水平同期信号Ｈにロックしたクロック信号を発生するＰＬＬを構成しており、出力クロックの周波数は水平同期信号Ｈの周波数のあらかじめ定められた、すなわち分周比設定回路８０３で設定された数の倍数となる。このクロックはＡ／Ｄコンバータ９、後段のメモリ回路１２Ｒ、１２Ｇ、１２Ｂ、Ｄ／Ａコンバータ１３Ｒ、１３Ｇ、１３Ｂに供給される。
【００２５】
Ａ／Ｄコンバータ９の出力は分配スイッチ１０に供給される。分配スイッ１０の制御信号として、ＲS、ＧS、ＢSが供給されており、分配スイッチ１０の出力はＩＤ信号が送られた直後はＲ信号がメモリ１２Ｒに、次はＧ信号がメモリ１２Ｇに、次はＢ信号がメモリ１２Ｂにと接続される。
【００２６】
メモリ回路１２Ｒ、１２Ｇ、１２Ｂの構成はいずれも同じなので、ここでは１２Ｒの詳細を図１１にしめす。図１１において、１２Ｒ０１はクロック、水平、垂直の同期信号をもとに計数しメモリの書き込み、読み出しアドレスを発生するアドレスカウンタ、１２Ｒ０２はメモリからの読み出しによる遅延時間分だけ、送られてきた信号を遅延する遅延回路、１２Ｒ０３はメモリから読み出された信号と送られてきた信号を切り換えるセレクタ、１２Ｒ０４はおくられてきた画像の１垂直走査周期分記憶するメモリである。このメモリ回路１２Ｒは、実際に送られてきた信号はメモリに書き込むと同時に出力し、送られていない期間はメモリに記憶されたものを読み出すように働く。以下動作を示す。
【００２７】
Ａ／Ｄ変換されたＳRGB信号はメモリ１２Ｒ０４と同時に遅延回路１２Ｒ０２を介しセレクタ１２Ｒ０３に供給される。遅延回路１２Ｒ０２は所定のクロック周期分の時間、入力を遅延させる。所定の時間とは、メモリ１２Ｒ０４の読み出しモード時の読み出しアドレスが与えられてから出力されるまでの遅延時間である。セレクタ１２Ｒ０２の選択制御入力はハイレベルの時Ａ入力を選択、ローレベルの時Ｂ入力を選択し、Ｙに出力する。メモリ１２Ｒ０４の書き込み制御信号入力はＷ．Ｅ．でハイレベルの時書き込みモードとなる。ローレベルのときは読み出しモードとなり、書き込み時、読み出し時ともに、アドレス入力ＡＤに供給されたアドレスをアクセスする。アドレスカウンタ１２Ｒ０１はＣＬＫに供給されたクロック、Ｈに供給された水平同期信号を計数する。計数のリセットには、クロック計数用には水平同期信号、水平同期信号計数用にはＶに供給される垂直同期信号が供給される。計数値はメモリ１２Ｒ０４のアドレス制御としてＡＤ入力に供給される。セレクタ１２Ｒ０２の選択制御入力はメモリ回路１２Ｒの入力Ｓに接続されたＲSであるので、これがハイレベルとなるのは、Ｒ信号が送られている期間である。従ってセレクタ１２Ｒ０２はＡ入力である送られてきているＲ信号を遅延回路１２Ｒ０２で遅延させた信号を選択し出力する。Ｗ．Ｅ．にもＳに加えられたＲSが供給されているので、Ｒ信号が送られてきている期間メモリ１２Ｒ０４は書き込みモードとなり、送られたＲ信号はメモリ１２Ｒ０４に書き込まれる。
【００２８】
Ｒ信号が送られていない期間すなわちＲSが ローレベルのときは、メモリ１２Ｒ０４は読み出しモードとなり、直前に書き込まれたＲ信号が読み出される。セレクタ１２Ｒ０３はＢ入力であるこの読み出し出力を選択し出力する。
【００２９】
以上により、メモリ回路１２Ｒの出力は、ＳRGB信号がＲ信号のときはそのまま、Ｇ、Ｂ信号のときは直前に書き込まれたＲ信号を出力する。同様にメモリ１２Ｇ、１２Ｂも動作し、Ｇ、Ｂ信号を得る。
これにより、時分割されたＲ、Ｇ、Ｂ信号が３系統並列の連続した信号となる。
【００３０】
メモリ回路１２Ｒ、１２Ｇ、１２Ｂの出力はそれぞれＤ／Ａコンバータ１３Ｒ、１３Ｇ、１３Ｂに供給されアナログＲ、Ｇ、Ｂ信号を得る。
【００３１】
Ｄ／Ａコンバータ１３Ｒ、１３Ｇ、１３Ｂの出力はＲ用増幅回路１４Ｒ、Ｇ用増幅回路１４Ｇ、Ｂ用増幅回路１４Ｂにそれぞれ供給される。Ｒ用増幅回路１４Ｒ、Ｇ用増幅回路１４Ｇ、Ｂ用増幅回路１４Ｂではモニター等の外部機器へのインターフェース用にバッファＡＭＰの機能を果たす。同期分離回路７の出力である、水平、垂直同期信号もＲ、Ｇ、Ｂと同時にモニター等の外部機器へと出力される。
【００３２】
以上により、伝送前にＲ、Ｇ、Ｂをそれぞれフレームを３つに一つに間引いて伝送するので情報量を大幅に削減できる。また、メモリにより、間引かれた２フレームを再生し、Ｒ、Ｇ、Ｂそれぞれ連続した信号を得ることができる。伝送する信号が静止画像の場合は、どのフレームも同一であるので、劣化がない。
【００３３】
図１２は本実施の形態における画像伝送システムの他の送信装置を示す構成図である。即ち、同期分離の他の例を説明するものである。
図１２において、新たな要素として、１５は復号同期信号が入力され、水平同期信号、垂直同期信号を分離、出力する同期分離回路である。図１３は同期分離回路１５の詳細構成を示し、１５０１は抵抗、１５０２はコンデンサ、１５０３は垂直同期信号生成用基準電圧源、１５０４はコンパレータである。
図１２の例は、同期信号入力として、水平、垂直同期信号が復号化された、復号同期信号が入力された場合であり、垂直同期信号を得るために、抵抗１５０１、コンデンサ１５０２による積分回路、コンパレータ１５０４と垂直同期信号生成用基準電圧源１５０３により垂直同期信号を分離できる。この動作は、実施の形態１における、伝送後の垂直同期信号分離と同一である。入力された復号同期信号は分離された垂直同期信号と共に、そのまま水平同期信号として、使用可能である。
【００３４】
図１４は本実施の形態における画像伝送システムの他の送信装置を示す構成図である。即ち、同期信号が各色信号に重畳される場合を説明する。
図１４において、新たな要素として、１６は、Ｇ信号に重畳された復号同期信号から、水平、垂直同期信号を分離する同期分離回路である。図１５は同期分離回路１６の詳細構成を示し、１６０１は直流カット用コンデンサ、１６０２はダイオード、１６０３は直流クランプ用電圧源、１６０４は同期信号分離用基準電圧源、１６０５はコンパレータ、１６０６は抵抗、１６０７はコンデンサ、１６０８は垂直同期信号生成用基準電圧源、１６０９はコンパレータである。
図１４は、ＲＧＢのどれか少なくとも１つに復号同期信号が重畳された入力の場合であり、例としてＧに重畳された場合を示す。同期分離回路１６に入力されたＧ信号は、コンデンサ１６０１、ダイオード１６０２、直流クランプ用電圧源１６０３からなるクランプ回路により、直流クランプされる。すなわち、同期信号の先端が、直流クランプ用電圧源１６０３の電圧より、ダイオード１６０２の順方向ドロップ電圧分低い電圧にクランプされる。この後同期信号分離用基準電圧源１６０４、コンパレータ１６０５からなる同期信号分離回路により、復号同期信号が抜き取られる。この動作は実施の形態１の同期信号分離用コンパレータ７０１、同期信号分離用基準電圧源７０２の動作と同一である。抜き取られた復号同期信号はそのまま水平同期信号として出力されるほか、抵抗１６０６、コンデンサ１６０７、垂直同期信号生成用基準電圧源１６０８、コンパレータ１６０９により垂直同期信号が生成される。この動作は実施の形態１の抵抗７０３、コンデンサ７０４、コンパレータ７０５、垂直同期信号生成用基準電圧源７０６の動作と同一である。
【００３５】
図１６は本実施の形態における画像伝送システムの他の送信装置と受像装置を示す構成図である。図１６において、新たな要素として、１７はＦＭ変調回路、１８は赤外発光ダイオード駆動回路、１９は赤外発光ダイオード、２０は受光ダイオード、２１は受光したＦＭ信号を増幅する増幅回路、２２はＦＭ復調回路、２３は復調された信号を増幅する増幅器である。
【００３６】
加算器５の出力ＳRGBはＦＭ変調回路１７に供給され、ＦＭ変調波を得る。ＦＭ変調回路１７は図１７に詳細に示す。図１７において、１７０１は抵抗、１７０２は可変容量ダイオード、１７０３はコンデンサ、１７０４はコイル、１７０５はコンデンサ、１７０６は抵抗、１７０７は抵抗、１７０８はコンデンサ、１７０９は抵抗、１７１０はトランジスタ、１７１１はコンデンサ、１７１２はトランジスタ、１７１３は抵抗である。
ＳRGB信号は抵抗１７０１を介して可変容量ダイオード１７０２のカソードに印加される。コイル１７０４、コンデンサ１７０５、抵抗１７０６、抵抗１７０７、コンデンサ１７０８、抵抗１７０９、トランジスタ１７１０、コンデンサ１７１１からなる回路は発振回路を形成しており、可変容量ダイオード１７０２はコンデンサ１７０３を介して発振回路の発振容量の一部として働く。従ってＳRGB信号によって可変容量ダイオード１７０２の容量は変化するので発振回路の周波数はＳRGB信号によりＦＭ変調されることとなる。このＦＭ変調波は、トランジスタ１７１２、抵抗１７１３からなるエミッタフォロワ回路をとおして出力される。
【００３７】
ＦＭ変調波は赤外発光ダイオード駆動回路１８へと供給され、赤外光の点滅を行なう。赤外発光ダイオード駆動回路１８は図１７のように構成され、図１７において、１８０１は抵抗、１８０２は抵抗、１８０３はトランジスタ、１８０４は抵抗である。ＦＭ変調波は抵抗１８０１、抵抗１８０２、トランジスタ１８０３からなるパルスアンプで電流のＯＮ／ＯＦＦ信号に変換される。この電流は、電流値設定用抵抗である抵抗１８０４、赤外発光ダイオード１９を流れ、赤外発光ダイオード１９よりＦＭ変調光が放射される。
【００３８】
受信側では、赤外発光ダイオード１９より放射されたＦＭ変調光は受光ダイオード２０で受光され、電流に変換される。この電流は増幅回路２１で電圧に変換され、増幅される。増幅回路２１は図１８に示し、図１８において、２１０１は抵抗、２１０２は抵抗、２１０３は演算増幅器、２１０４は抵抗である。
受光ダイオード２０で電流に変換された信号は抵抗２１０１を流れ、電圧に変換される。この信号電圧は抵抗２１０２、抵抗２１０４、演算増幅器２１０３で構成される増幅回路により、後段のＦＭ復調回路２２に必要なレベルまで増幅され、供給される。
【００３９】
ＦＭ復調回路２２は図１９のように構成され、図１９において、２２０１は波形整形用のインバータ、２２０２は所定の時間だけ遅延させる遅延回路、２２０３は排他的ＯＲゲート、２２０４はローパスフィルターである。増幅回路２１の出力はインバータ２２０１に供給され、図２０のＦＭ波に示す、矩形波にされる。インバータ２１０１の入力が所定のレベル以上あれば、出力は一定振幅の矩形波に変換され、リミッターとしても働く。インバータ２１０１の出力は遅延回路２１０２に供給され、一定の時間遅延され、図２０のＦＭ波（遅延）に示すように出力される。この遅延出力と、遅延前のインバータ２２０１の出力は排他的ＯＲゲート２２０３に供給される。排他的ＯＲ２２０３の出力は図２０に示すようにＦＭ波がＰＷＭ波に変換される。このＰＷＭ波はローパスフィルター２２０４に供給される。ＰＷＭ波をローパスフィルターを通すことにより、ＦＭ復調され、ＦＭ変調前の信号である図６のＳRGBが得られる。
【００４０】
ＦＭ復調されたＳRGB信号は、増幅回路２３に供給される。増幅回路２３は図２１に示し、２３０１はレベルシフト用電圧発生器、２３０２は抵抗、２３０２は演算増幅器、２３０４は抵抗である。ＳRGB信号は後段のＡ／Ｄコンバータ９の入力範囲にあうよう、増幅、直流電圧シフトが行われる。直流電圧シフト量はレベルシフト用電圧発生器２３０１により設定される。振幅は抵抗２３０１、２３０４の値により決定される増幅率で増幅され得られる。増幅回路２３の出力以降は図１と同様に動作する。
【００４１】
実施の形態２．
伝送帯域を切換えられるシステムを説明する。
図２２は実施の形態２における画像伝送システムの送信装置と受像装置を示す構成図である。図２２において、新たな要素として、送信側にある２４はＦＭ搬送周波数切換えスイッチ、受信側にある２５は受信処理切換えスイッチである。その他の要素は既にこれまでのところで同番号のそれとして説明している。
ＦＭ搬送周波数切換えスイッチ２４はＦＭ変調回路１７に接続され、ＦＭ変調波の搬送周波数を切換える。図２３にその詳細構成をしめす。ＦＭ変調回路１７Ｂの１７１４は抵抗、１７１５は所定の電圧を発生する直流電圧源である。ＦＭ搬送周波数切換えスイッチ２４を閉じれば、直流電圧源１７１５から抵抗１７１４を介し直流電圧が変調波のＳRGB信号に重畳される。これにより、可変容量ダイオード１７０２の直流バイアスが変化し、ＦＭ変調波の周波数帯域すなわち搬送周波数が変化する。
【００４２】
受像装置側の受信処理切換えスイッチ２５は、搬送周波数の変化に対して、ＦＭ復調回路２２の復調処理を制御すると同時に、クロック発生回路８のクロック周波数も制御する。
図２４にその詳細構成を示す。図２４において２５０１はスイッチ、２５０２は抵抗、２５０３は抵抗、２５０４はトランジスタ、２５０５は抵抗、２５０６はトランジスタ、２５０７は抵抗である。また、ＦＭ復調回路２２において、遅延回路２２０２は抵抗２２０２ａ、コンデンサ２２０２ｂ、コンデンサ２２０２ｃから構成される。また、クロック発生回路８の分周比設定回路８０３の設定数が外部からの制御で変更できるようになっている。
受信処理切換えスイッチ２５のスイッチ２５０１を閉じるとトランジスタ２５０４、２５０６のベース電圧は０Ｖになり、ＯＦＦとなる。従って、両トランジスタのコレクタ電圧はハイレベルとなり出力される。トランジスタ２５０４はオープンコレクタ形式でＦＭ復調回路２２のコンデンサ２２０２ｂに接続されており、抵抗２２０２ａ、コンデンサ２２０２ｂ、２２０２ｃからなる積分回路の積分容量が２２０２ｃのみとなり、積分時定数が小さくなり、遅延量は減少する。また、分周比設定回路８０３へ加えられた制御入力ハイレベルに対し、分周比は大きい値に切換えられ、出力クロックの周波数と水平同期信号の周波数の比は大きくなる。
以上により、たとえば、パーソナルコンピュータ等の画像信号で画素周波数（ドットクロック）が異なる２種類の画像信号がシステムに入力された場合、本実施の形態では、それぞれの画素周波数にあわせ、ＦＭ搬送周波数切換えスイッチ２４、受信処理切換えスイッチ２５を切換えることにより、画素周波数に応じた最適な処理が行なえ、必要以上に高い周波数の搬送波を使用しないですむ。
【００４３】
実施の形態３．
伝送帯域を自動的に切換えるシステムを説明する。
図２５は実施の形態３における画像伝送システムの受像機を示す構成図である。図２５において、新たな要素として、２６は水平同期信号と垂直同期信号の周波数比すなわち、１フレームの走査線数を求める計測回路であり、詳細は図２６に示す。図において、２６０１は水平同期信号をクロック入力、垂直同期信号をリセット入力に持つカウンタ、２６０２は固定値を生成する固定値発生回路、２６０３はカウンタ２６０１の計数結果と固定値発生回路２６０２の値との大小を比較するマグニチュードコンパレータである。その他の要素はこれまでに既に同番号のそれとして説明済である。以降の各実施の形態においても、新規要素の説明以外の既出符号については、既出の同番号要素と同等の要素を表す。
計測回路２６のカウンタ２６０１により伝送されてきた画像の走査線数がわかり、また、マグニチュードコンパレータ２６０３により、固定値発生回路２６０２のあらかじめ定められた固定値と比較により、走査線数が所定の値より多いかすくないかの形で出力できる。一般的に走査線数が多いと画素周波数が高くなるので、先の実施の形態では受信処理切換えスイッチ２５のスイッチ２５０１を手動で切換えていたのに対し、本実施の形態における切換えスイッチ２５Ｂでは、自動的に計測結果に基づききりかえることができる。
【００４４】
実施の形態４．
伝送帯域自動切換えの送信装置を説明する。
図２７は実施の形態４における画像伝送システムの送信装置を示す構成図である。図２７おいて、新たな要素として、２７は水平同期信号と垂直同期信号の周波数比すなわち、１フレームの走査線数を求める計測回路である。図２８はその詳細構成を示し、２７０１は水平同期信号をクロック入力、垂直同期信号をリセット入力に持つカウンタ、２７０２は固定値を生成する固定値発生回路、２７０３はカウンタ２７０１の計数結果と固定値発生回路の値の大小を比較するマグニチュードコンパレータ、２７０４は抵抗、２７０５はトランジスタである。抵抗２７０４、トランジスタ２７０５により、マグニチュードコンパレータ２７０３の出力はトランジスタ２７０５によるスイッチ形式で出力される。
以上の構成により、計測回路２７は実施の形態３に示す受信側の計測回路２６と同様な動作をする。この出力はＦＭ変調回路１７に接続され、トランジスタ２７０５は図２２のＦＭ搬送周波数切換えスイッチ２４と同様の動作を行なう。従って本実施の形態では、伝送前に入力画像の画素クロックに応じた、ＦＭ搬送周波数の自動切換えが行なえる。
【００４５】
図２９は実施の形態４における画像伝送システムの他の送信装置と受信装置を示す構成図である。図２９おいて、２８は計測回路２７Ｂのカウンタ２７０１の計数結果を水平同期信号、垂直同期信号のタイミングをもとに垂直帰線期間に符号化する符号化器であり図３０に示すように接続され、その出力は加算器５にてＳRGB信号に重畳される。２９は復号器であり、増幅器２３の出力からＳRGB信号に重畳された符号を復号し、受信処理切換えスイッチ２５、クロック発生器８を制御する。
【００４６】
実施の形態５．
図３１は実施の形態５における画像伝送システムの送信装置と受像装置を示す構成図である。図３１おいて、３０はＲ、Ｇ、Ｂ、Ｈ、Ｖとは別系統の例えばＮＴＳＣ等の復号映像信号か、加算器５の出力である、時分割化された信号ＳRGBかを選択するＮＴＳＣ／ＰＣ切換スイッチである。
本実施の形態では、Ｒ、Ｇ、Ｂ、Ｈ、Ｖのコンポーネント信号と、時分割伝送の必要のない１系統の復号映像信号とを時分割手段のあとで切り換えて伝送できるようにするものである。伝送手段を通ったあとはそのまま外部機器に出力される。
【００４７】
実施の形態６．
次に図３２は実施の形態６における画像伝送システムの送信装置と受像装置を示す構成図である。図３２おいて、３１はスイッチ４の時分割スイッチングを制御し、Ｒ、Ｇ、Ｂのうち特定の一つを常に選択するか、時分割スイッチングするかを制御する時分割制御回路である。本形態では上記特定入力をＧとし、Ｇに対するスイッチ４の制御には、時分割制御回路３１の内部としてＯＲゲート、他には、ＮＯＲゲートがあてられている。いずれのゲートにも共通入力として、外部より供給されるＮＴＳＣかＲ、Ｇ、Ｂコンポーネントかを切り換える信号が（ＮＴＳＣの時ハイレベル）加えられる。これにより通常のコンポーネント信号伝送時はカウンタ３からの出力がそのままスイッチ４を制御することにより時分割動作を行い、Ｇ入力にＮＴＳＣが入力した時、Ｇに対するスイッチ４だけが閉路するように働く。
【００４８】
次に図３３は本実施の形態における画像伝送システムの他の送信装置と受信装置を示す構成図である。図３３おいて、送信側の計測回路２７は、Ｇ入力に接続された同期分離回路１６の水平同期信号Ｈ、垂直同期信号Ｖの周波数比を計測し、図３４に詳細構成を示すように、結果を直接トランジスタ２７０５の駆動用として出力し、所定の値より小さい時ＦＭ変調回路の搬送周波数を低く切り換え、時分割制御回路３１をＧ入力に対し常に選択するように働く。
この構成により、ＮＴＳＣ信号をＧ入力に接続すれば、自動的に時分割動作は停止し、ＦＭ変調回路の搬送周波数を低く切り換えることができる。
【００４９】
実施の形態７．
次に図３５は実施の形態７における画像伝送システムの、送信側にある同期混合回路２の詳細を示す構成図である。図３５おいて、２０１は垂直同期信号の極性を反転するインバータ、２０２は水平同期信号とインバータ２０２の出力の論理積をとる２入力ＡＮＤゲート、２０３は２入力ＡＮＤゲート２０３の出力と水平同期信号とを所定の比で加算する同期加算器である。
図３７は受信側にある同期分離回路７Ｂを示し、図７に示す実施の形態１の同期分離回路７と同一部分は同一符号を付してその説明は省略する。７１４は垂直同期信号抜き取り用コンパレータ、７１５は垂直同期信号抜き取り用基準電圧源、７１６はインバータ、７１７は入力の立ち下がりエッジでトリガされるワンショットマルチバイブレータ、７１８は２入力アンドゲート、７１９はインバータである。
【００５０】
図３５において同期混合回路２の入力である垂直同期信号Ｖはインバータ２０１により極性反転された後、２入力ＡＮＤゲート２０２により、水平同期信号Ｈとの論理積をとられる（図３６ア）。この信号は水平同期信号Ｈと同期加算器２０３にて加算され、復号同期信号（図３６ＳＹＮＣ）となり、加算器５にてＩＤ信号、時分割化信号と加算される。同期加算器２０３、加算器５を通しての加算比は図３７のＳRGBに示すように垂直同期信号部分が画像信号部分より高くなるようにする。
【００５１】
伝送後は、図３７にその構成が示される同期分離回路７Ｂにおいて、コンパレータ７１４は入力されたＳRGBと垂直同期信号抜き取り用基準電圧源７１５の電圧（図３８の丸４）を比較することにより、垂直同期部分を抜き取る（図３８Ｖ−ＳＹＮＣ）。抜き取られた垂直同期部分は抵抗７０３、コンデンサ７０４からなる積分回路により積分される（図３８イ）。この後コンパレータ７０５、垂直同期信号生成用基準電圧源７０６により図３８ウに示す正極性の垂直同期信号が得られる。ＳRGBはまた、コンパレータ７０７、ＩＤ分離用基準電圧源７０８により図３８丸３に示す電圧以上の部分が抜き取られ、ＩＤを含む垂直同期部分等が抜き取られる。（図３８ア）この後、２入力ＡＮＤゲート７１８の一方の入力に供給される。
コンパレータ７０５の出力である、正極性の垂直同期信号はまた、ワンショットマルチバイブレータ７１７に供給される。ワンショットマルチバイブレータ７１７は入力の立ち上がりでトリガされ、図３８エに示すパルスを出力する。このパルスは２入力ＡＮＤゲート７１８のもう一方の入力に供給され、２入力ＡＮＤゲート７１８の出力には、図３８オにしめすＩＤ部分の信号が得られる。この信号は抵抗７０９、コンデンサ７１０により積分され（図３８カ）、コンパレータ７１１により正極性のＩＤ（図３８キ）が得られ、インバータ７１９により反転され、ＩＤが出力される。
このようにして得られた水平同期信号は、実施の形態１と同様にしてコンパレータ７０１、同期信号分離用基準電圧源７０２により選らばれる。
以上によりデューティ比が常に一定の連続波である水平同期信号が選らばれる。
【００５２】
図３９は、本実施の形態における画像伝送システムの他の同期混合回路２Ｃを示す構成図である。図３９において２０４は２入力ＮＯＲゲート、２０５はワンショットマルチバイブレータ、２０６はインバータ、２０７は２入力ＡＮＤゲートである。また、図４１は、本実施の形態における他の同期分離回路７Ｃを示し、７２０は、入力信号の立ち下がりエッジでトリガされるワンショットマルチバイブレータである。
【００５３】
つぎに動作を説明する。入力である、水平同期信号と垂直同期信号は２入力ＮＯＲゲート２０４に供給される。図４０のアに示すように、２入力ＮＯＲゲート２０４では垂直同期信号のローレベル期間の水平同期信号がぬきとられる。抜き取られた水平同期信号はワンショットマルチバイブレータ２０５に供給される。ワンショットマルチバイブレータ２０５では、入力信号である図４０アの立ち上がりでトリガされ、設定された時間だけ出力がハイレベルになる、図４０イに示すような信号となる。この信号はインバータ２０６で極性反転され、２入力ＡＮＤゲート２０７の一方の入力に供給される。２入力ＡＮＤゲート２０７のもう一方には、もとの水平同期信号が供給され、２入力ＡＮＤゲート２０７の出力は図４０ＳＹＮＣに示す複合同期信号となる。この複合同期信号は、実施の形態１で示した、水平同期信号と垂直同期信号の排他的論理和をとったものが、立ち下がりエッジが垂直同期信号部分で混合前の水平同期信号の立ち下がりエッジの位相とずれるのにたいし、常に同一位相となる。
【００５４】
受信側では、コンパレータ７０１の出力（図４０ＳＹＮＣと同じ）をワンショットマルチバイブレータ７２０に供給する。ワンショットマルチバイブレータ７２０は入力信号の立ち下がりエッジでトリガされ、所定の時間ローレベルのワンショット動作を行ない水平同期信号として出力する（図４０Ｈ）。この水平同期信号は、垂直帰線期間もデューティ比が常に一定の安定した連続波であり、クロック発生回路８で発生するクロックの垂直帰線期間における周波数、位相の乱れがない。
【００５５】
実施の形態８．
次に図４２は実施の形態における画像伝送システムの送信装置と受信装置を示す構成図である。図４２おいて、３２はＦＭ変調波を２分周し、周波数を１／２におとす２分周器である。例えば図４３に示すように、フリップフロップを使用し、構成される。ＦＭ変調回路１７は実際の伝送周波数の２倍の搬送波で変調し、２分周器３２により２分周され、本来伝送する周波数のＦＭ変調波となる。２分周することにより、分周前の変調波のヂューティ比が５０％でなくても、２分周によりヂューティ比５０％となる。これによりＦＭ復調回路２２での遅延量を最大にすることができ、復調出力を最大とでき、Ｓ／Ｎ比を良好とすることができる。図４４にデューティ比５０％でない場合を示す。ＰＷＭとなった波形のデューティ比も小さく、ＬＰＦをとおしたＦＭ復調出力は小さくなる。
【００５６】
次に図４５は本実施の形態における画像伝送システムの他の送信装置を示す構成図である。図４５において３３はスイッチであり、２分周器３２の出力か、２分周前のものかを切り換え選択する。これによりＦＭ変調波を２分周するかどうかをスイッチ３３で切り換えることができ、変調信号すなわちＳRGBの周波数、従って入力の画像の画素周波数が低い時は２分周を行い、ＦＭ変調波のヂューティを５０％で伝送でき、高い時はそのまま出すことにより、ＦＭ変調回路１７で搬送波の周波数を切り換える必要がない。
【００５７】
実施の形態９．
図４６は実施の形態における画像表示装置を示す構成図である。図４６おいて、図１に示す実施の形態１における受信装置と同一要素は同一符号を付してその説明は省略する。図４６において、４７はＰＣなど外部ＲＧＢ機器からのＲＧＢＨＶ信号を入力するＲＧＢ入力コネクタ、４８は時分割信号ＳRGBを入力するＳRGB入力コネクタ、４９はＲＧＢ入力コネクタ４７に入力されたＲＧＢ信号か、ＳRGB入力コネクタ４８に入力され処理された、ＲＧＢ信号かを選択するＲＧＢスイッチ、５０はＲＧＢスイッチで選択したＲＧＢ信号を表示するための表示駆動回路および表示素子である。
【００５８】
図４６全体で表示装置を構成し、通常はＲＧＢ入力コネクタ４７に入力された映像を表示するが、ＲＧＢスイッチ４９を切換えることにより、時分割信号ＳRGBからのＲＧＢ映像を表示することができる。
【００５９】
実施の形態１０．
本実施の形態では、伝送帯域を更に圧縮して、例えば１／２帯域で色信号を伝送するシステムを説明する。
図４７は実施の形態１０における画像伝送システムの送信装置を示す構成図である。図４７おいて、３６ＲはＲ信号に同期混合回路２の出力である複合同期信号と、カウンタ３の出力であるＩＤを加算する加算器、３６ＧはＧ信号に複合同期信号を加算する加算器、３６ＢはＢ信号に複合同期信号を加算する加算器、３７ＲはＲ回路用Ａ／Ｄコンバータ、３７ＧはＧ回路用Ａ／Ｄコンバータ、３７ＢはＢ回路用Ａ／Ｄコンバータ、３８ＲはＲ回路用メモリ、３８ＧはＧ回路用メモリ、３８ＢはＢ回路用メモリ、３９は時分割スイッチ、４０はＤ／Ａコンバータ、４１は時分割スイッチ制御回路、４２はクロック発生回路、４３はクロック発生回路４２の出力のクロックを２分周する２分周回路、４４は水平同期信号を２分周する２分周回路、４５は垂直同期信号を２分周する２分周回路、４６は、２分周回路４３出力のクロックと、水平同期信号、垂直同期信号と、２分周回路４４、４５出力の２分周された水平、垂直同期信号とのそれぞれをもとに、アドレスを発生して、各メモリ３８Ｒ、３８Ｇ、３８Ｂへアドレスを選択、供給するアドレス発生回路である。
【００６０】
次に動作を説明する。Ｒ、Ｇ、Ｂに入力された信号はそれぞれクランプ回路１Ｒ、１Ｇ、１Ｂによりクランプされた後、加算器３６Ｒ、３６Ｇ、３６Ｂにて同期混合回路２の出力である複合同期信号がおのおの加算される。Ｒ信号には、カウンタ３の出力である、ＩＤ信号も加算される。加算器３６Ｒ、３６Ｇ、３６Ｂの出力はそれぞれ、Ａ／Ｄコンバータ３７Ｒ、３７Ｇ、３７Ｂに供給され、ディジタル信号となりメモリ３８Ｒ、３８Ｇ、３８Ｂの入力であるＤＡＴＡ  ＩＮ端子へ供給される。メモリ３８Ｒ、３８Ｇ、３８Ｂでは、１フレーム分のデータを書込み、１／２の速度で２フレームの時間で読み出す動作をする。カウンタ３は、実施の形態１と同じ動作にて、図４９に示す、ＲS、ＧS、ＢSを出力する。このＲS、ＧS、ＢSはメモリ３８Ｒ、３８Ｇ、３８Ｂの書き込み制御端子であるＷ．Ｅ．へ供給される。書き込み制御端子Ｗ．Ｅ．にハイレベルの信号供給すると、メモリは書き込み状態となり、図４９のメモリＲ、メモリＧ、メモリＢに示すようにＲS、ＧS、ＢSがおのおのハイレベルのときＤＡＴＡ  ＩＮに入力された信号が書き込まれる。書き込みアドレスは、クロック発生回路４２で発生された、入力信号の画素クロック、水平同期信号、垂直同期信号、ＲS、ＧS、ＢSをもとに、アドレス発生回路４６でつくられ、メモリ３８Ｒ、３８Ｇ、３８Ｂのアドレス入力である、ＡＤ端子に供給される。
【００６１】
メモリに書き込まれた後、２フレームの時間をかけて、１／２のクロックレートで読み出される。このおのおののメモリの読み出しタイミングは、ＲS、ＧS、ＢSのローレベル期間であり、この期間アドレス発生回路４６は、クロック発生回路４２の出力を２分周回路４３で２分周したクロック、水平同期信号、垂直同期信号をおのおの２分周回路４４，４５で２分周したタイミングをもとにアドレス発生回路４６で作られ、メモリに供給される。従ってクロックレートは１／２となっており、２フレームの期間で読み出される。
【００６２】
メモリ３８Ｒ、３８Ｇ、３８Ｂから読み出された信号は、時分割スイッチ３９に供給される。時分割スイッチ３９の制御は、時分割スイッチ制御回路４１により行われる。時分割スイッチ制御回路４１の詳細は図４８に示し、４１０１は２分周用Ｄフリップフロップ、４１０２は２入力ＮＡＮＤゲート、４１０３はインバータ、４１０４は２入力ＡＮＤゲート、４１０５は２入力ＮＡＮＤゲートである。時分割スイッチ制御回路４１では、ＩＤを２分周用Ｄフリップフロップ４１０１により２分周した信号（図４９  ＩＤ／2）のローレベル期間とＲSのローレベル期間との論理積を２入力ＮＡＮＤゲート４１０２でとり、図４９  ＲS−２に示すタイミングを生成する。また、図４９  ＩＤ／２の信号のハイレベルの期間とＢSをインバータ４１０３により反転した信号との論理積を２入力ＡＮＤゲート４１０４でとり、図４９  ＢS−２に示すタイミングを生成する。また、ＲS−２、ＢS−２両方のローレベルの期間の論理積を２入力ＮＡＮＤゲート４１０５でとり、図４９  ＧS−２に示すタイミングを生成する。このＲS−２、ＢS−２、ＧS−２は時分割スイッチ３７の制御信号として供給される。
【００６３】
時分割スイッチ３９は制御信号がハイレベルのとき、対応する入力を選択し、ＲS−２がハイレベルのときは、メモリ３８Ｒの読み出し出力が、ＧS−２がハイレベルのときは、メモリ３８Ｇの読み出し出力が、ＢS−２がハイレベルのときは、メモリ３８Ｂの読み出し出力が選択される。
これにより、時分割スイッチ３９の出力は図４９のメモリＲ、Ｇ、Ｂのハッチングを施した部分すなわち、おのおのメモリの読み出し出力が選択され、図４９ＳRGBに示す時分割信号が得られる。この時分割信号ＳRGBは、画素クロックレートがシステムへの入力信号の１／２となっている。時分割信号ＳRGBはＤ／Ａコンバータ４０によりアナログ信号に戻り、伝送回路６に供給され、伝送される。
【００６４】
伝送後の動作は実施の形態１と同一におこなわれ、水平、垂直同期信号および画素クロックが１／２のＲＧＢ並列の信号が再生される。
【００６５】
実施の形態１１．
図５０は実施の形態１１における表示装置のメモリおよび周辺を示す構成図である。図５０おいて、３４ＲはＡ，Ｂ２系統のメモリを持つＲ用メモリ回路であり、同様に３４Ｇ、３４Ｂも同一構成である。３５は時分割信号ＳRGBか、並列のＲＧＢ信号かを外部からの切換え制御信号ＲＧＢ／ＳRGBにより切り換える３回路２接点の画素変換入力切換えスイッチである。図５１はＲ用メモリ回路３４Ｒ内部構成を示し、３４Ｒ０１は制御信号がローレベルのとき１の接点に接続されるスイッチ、３４Ｒ０２ＡはメモリＡ、３４Ｒ０２ＢはメモリＢで、スイッチ３４Ｒ０１は、メモリＡ３４Ｒ０２Ａ、メモリＢ３４Ｒ０２Ｂのどちらに書き込み用データを供給するか選択する。３４Ｒ０３はメモリＡ３４Ｒ０２Ａ、メモリＢ３４Ｒ０２Ｂのどちらから読み出しデータをとるか選択するスイッチで制御信号がローレベルのとき１の接点に接続される。３４Ｒ０４はメモリＢ３４Ｒ０２Ｂに書き込むデータをスイッチ３４Ｒ０１からか、メモリＡ３４Ｒ０２Ａかの読み出しデータかを選択するスイッチで制御信号がローレベルのとき１の接点に接続される。３４Ｒ０５はメモリＡ３４Ｒ０２Ａの読み出しデータをメモリの読み出しアドレスが与えられてからデータが出力されるまでの遅延時間分遅延させる遅延回路、３４Ｒ０６は３接点のスイッチであり、２接点にはメモリＢ３４Ｒ０２Ｂの出力が、残りの１接点には遅延回路３４Ｒ０５の出力が接続される。３４Ｒ０７は、スイッチ３４Ｒ０３出力かスイッチ３４Ｒ０６の出力かを選択するスイッチで制御信号がローレベルのとき１の接点に接続される。３４Ｒ０８は表示装置にあわせ走査線数、画素周波数を変換する画素変換回路、３４Ｒ０９は垂直同期信号を2分周する２分周器、３４Ｒ１０は切換え制御信号ＲＧＢ／ＳRGBを極性反転するインバータ、３４Ｒ１１は２入力ＡＮＤゲート、３４Ｒ１２はメモリＡ３４Ｒ０２ＡおよびメモリＢ３４Ｒ０２Ｂへのアドレスをクロック、水平同期信号、垂直同期信号をもとに生成するアドレス生成回路、３４Ｒ１３および３４Ｒ１４はＡＮＤ ＯＲゲート、３４Ｒ１５は２入力ＮＯＲゲートである。
【００６６】
本実施の形態は、液晶など画素構造をもつ表示素子の表示装置における、画素変換回路による時分割信号のメモリ動作を示し、図５０において、外部から供給される切換え制御信号ＲＧＢ／ＳRGBにより通常のＲＧＢ入力による画素変換か、本発明の時分割多重信号のメモリ動作かを切り換える。すなわち、切換え制御信号ＲＧＢ／ＳRGBは、通常のＲＧＢ入力による画素変換のときはローレベルであり、画素変換入力切換えスイッチ３５は３回路とも１の接点に接続される。時分割多重信号のメモリ動作のときはハイレベルであり、画素変換入力切換えスイッチ３５は３回路とも２の接点に接続される。２の接点には３回路とも時分割信号ＳRGBが接続されている。
【００６７】
画素変換入力切換えスイッチ３５の出力はＡ／Ｄコンバータ９Ｒ、９Ｇ、９Ｂに接続され、画素変換入力切換えスイッチ３５により選択されたＲＧＢあるいはＳRGBがＡ／Ｄ変換され、Ｒ用メモリ回路３４Ｒ、Ｇ用メモリ回路３４Ｇ、Ｂ用メモリ回路３４Ｂに供給される。Ｒ用メモリ回路３４Ｒ、Ｇ用メモリ回路３４Ｇ、Ｂ用メモリ回路３４Ｂにはこの他、切換え制御信号ＲＧＢ／ＳRGB、クロック、水平／垂直同期信号、メモリ制御回路１１より、ＳR、ＳG、ＳBが供給される。ＳR、ＳG、ＳBについては、Ｒ用メモリ回路３４ＲにはＳR、ＳGが、Ｇ用メモリ回路３４ＧにはＳG、ＳBが、Ｂ用メモリ回路３４ＢにはＳB、ＳRが供給される。
【００６８】
ＲＧＢ入力時の動作として、図５１に示すようにＲ用メモリ回路３４Ｒは画素変換用バッファメモリとして、２つのメモリ３４Ｒ０２Ａと３４Ｒ０２Ｂの２つを持ち、スイッチ３４Ｒ０１とスイッチ３４Ｒ０３が１フレームごとに連動して切り換わる。垂直同期信号を２分周器３４Ｒ０９で２分周した１フレームごとにハイレベル、ローレベルが反転する信号を２入力ＡＮＤゲート３４Ｒ１１の片方の入力に供給し、もう一方の入力には、切換え制御信号ＲＧＢ／ＳRGBがインバータ３４Ｒ１０を介し供給される。ＲＧＢ入力時は切換え制御信号ＲＧＢ／ＳRGBはローレベルなので、インバータ３４Ｒ１０によりハイレベルととなり、１フレームごとにハイレベル、ローレベルが反転する信号は２入力ＡＮＤゲート３４Ｒ１１を通り、スイッチ３４Ｒ０１とスイッチ３４Ｒ０３に供給される。この結果、スイッチ３４Ｒ０１とスイッチ３４Ｒ０３は連動して１フレームごとに切り換わり、スイッチ３４Ｒ０１がメモリＡ３４Ｒ０２Ａの入力（ＤＡＴＡ  ＩＮ）に接続されるときは、スイッチ３４Ｒ０３はメモリＢ３４Ｒ０２Ｂの出力に接続され、次のフレームではメモリＡとＢが反対の接続となる。
【００６９】
また、ＲＧＢ入力時の動作としてメモリＡ３４Ｒ０２Ａ、メモリＢ３４Ｒ０２Ｂの書き込み制御入力Ｗ．Ｅ．（ハイレベルで書き込み、ローレベルで読み出し）には、切換え制御信号ＲＧＢ／ＳRGBがローレベルなのでインバータ３４Ｒ１０によりハイレベルとなった信号がＡＮＤ  ＯＲゲート３４Ｒ１３、３４Ｒ１４に供給され、互いに反転している２分周器３４Ｒ０９のＱとＱバーがそれぞれＡＮＤ ＯＲゲート３４Ｒ１３、３４Ｒ１４を通り、メモリＡ３４Ｒ０２Ａ、メモリＢ３４Ｒ０２Ｂに供給される。従って、メモリＡ３４Ｒ０２Ａへ書き込んでいるときはメモリＢ３４Ｒ０２Ｂは読み出し、メモリＡ３４Ｒ０２Ａから読み出しているときはメモリＢ３４Ｒ０２Ｂは書き込み状態となる。
【００７０】
それぞれのメモリからの読み出し信号はスイッチ３４Ｒ０３をとおり、スイッチ３４Ｒ０７に供給される。スイッチ３４Ｒ０７は制御信号がローレベルであるので、１の接点に接続され、メモリからの読み出し信号は画素変換回路３４Ｒ０８へ供給され、画素変換がおこなわれた後Ｄ／Ａコンバータ１３Ｒへと出力される。以上がＲＧＢ入力動作時のメモリ回路の動作である。
【００７１】
メモリＡ３４Ｒ０２Ａ、メモリＢ３４Ｒ０２Ｂの書き込み／読み出しアドレスはアドレス生成回路３４Ｒ１２にてクロック、水平同期信号、垂直同期信号をもとに生成される。
【００７２】
次に切換え制御信号ＲＧＢ／ＳRGBがハイレベルのＳRGB入力動作時の動作を説明する。切換え制御信号ＲＧＢ／ＳRGBがハイレベルなので、２入力ＡＮＤゲート３４Ｒ１１の出力は常にローレベルとなり、スイッチ３４Ｒ０１は常に接点１に接続される。また、スイッチ３４Ｒ０４および３４Ｒ０７は常に２の接点に接続される。メモリＡ３４Ｒ０２Ａの書き込み制御入力Ｗ．Ｅ．にはＳRがメモリＢ３４Ｒ０２Ｂの書き込み制御入力Ｗ．Ｅ．にはＳGがそれえぞれＡＮＤ  ＯＲゲート３４Ｒ１３、３４Ｒ１４を介し供給される。ＳRGBのＲ信号伝送時はＳRがハイレベルであるので、メモリＡ３４Ｒ０２Ａが書き込み状態となりＲ信号が記憶される。次のＧ信号伝送時にはＳRがローレベル、ＳGがハイレベルとなるので、メモリＡ３４Ｒ０２Ａから読み出されたＲ信号は、スイッチ３４Ｒ０４をとおりメモリＢ３４Ｒ０２Ｂに書き込まれる。次のＢ信号伝送時にはＳR、ＳGが共にローレベルであり、メモリＢ３４Ｒ０２Ｂは読み出し状態となる（図５２参照）。
【００７３】
スイッチ３４Ｒ０６の制御はＳRがハイレベルのとき接点１に、ＳGがハイレベルのとき接点２に、２入力ＮＯＲゲート３４Ｒ１５によりどちらもローレベルのとき接点３に接続される（図５２参照）。これにより、スイッチ３４Ｒ０６は図４８のメモリＡ、メモリＢの動作欄にＲＥＡＤに○を付した読み出しデータを選択する。ただし、ＳGがハイレベルで接点２に接続のときはメモリＡ３４Ｒ０２Ａの読み出しデータを、メモリのアドレスが与えられてからデータが出力されるまでの遅延時間分だけ、遅延回路３４Ｒ０５で遅延されたものが供給され、メモリＢ３４Ｒ０２Ｂからの読み出しデータとの時間あわせが行われる。
以上の構成により、スイッチ３４Ｒ０６の出力は、３フレームに１フレームしか伝送されない信号をメモリにより３フレームすべての信号として得ることができ、スイッチ３４Ｒ０７を介し画素変換回路に入力される。
【００７４】
実施の形態１２．
次に図５３は本実施の形態における表示装置を示す構成図である。図５３において、図１に示す実施の形態１、図４６に示す実施の形態９の構成と同一要素は、同一符号を付してその説明は省略する。図５３において、５１は時分割信号ＳRGBを外部へ出力するためのバッファＡＭＰ、５２はバッファＡＭＰ５１の出力を外部に出力するＳRGB出力コネクタである。
【００７５】
ＲＧＢ入力コネクタ４７に入力されたＲＧＢ信号は表示駆動回路および表示素子５０に供給されると同時にクランプ回路１Ｒ、１Ｇ、１Ｂ、同期混合回路２、カウンタ３へ供給される。実施の形態１と同じようにここで時分割信号ＳRGBが生成され、バッファＡＭＰ５１を介し、ＳRGB出力コネクタ５２から外部へ出力される。この構成により、表示装置で信号分配出力の伝送情報量の少ない信号伝送が可能である。
【００７６】
表示装置を同様機能を持つパーソナルコンピュータに適用しても同じである。図５４は本実施の形態におけるコンピュータ機器を示す構成図である。図５４において、５３はパーソナルコンピュータ本体、５４はＲＧＢ映像を外部表示機器に出力するＲＧＢ出力コネクタである。
【００７７】
パーソナルコンピュータ本体５３の表示映像はＲＧＢ出力コネクタ５４に供給され、外部機器にて表示される。この表示映像信号は同時にクランプ回路１Ｒ、１Ｇ、１Ｂ、同期混合回路２、カウンタ３へ供給される。実施の形態１と同じようにここで時分割信号ＳRGBが生成され、バッファＡＭＰ５１を介し、ＳRGB出力コネクタ５２から外部へ出力される。この構成により、コンピュータ機器の画像を通常の映像出力と同時に、簡単な伝送路を使用した伝送することが可能となる。
【００７８】
実施の形態１３．
図５５は本実施の形態における表示装置を示す構成図である。図５５において、５５は赤外線ワイヤレスデータ伝送用受光部、５６は受信データ処理部である。
【００７９】
本実施例は、赤外線ワイヤレスデータ伝送が受信可能な表示装置の受光部を時分割信号ＳRGBの受光用として共用するもので、赤外線ワイヤレスデータ伝送用受光部５５で受光した赤外線ワイヤレスデータ伝送のデータは受信データ処理部５６にてデコードなどデータ処理が行なわれる。
一方、赤外線ＦＭ変調信号を赤外線ワイヤレスデータ伝送用受光部５５で受光した場合は、実施の形態１と同様に復調回路２２で復調し、実施の形態１２と同様に表示するものである。
【００８０】
図５６は本実施の形態におけるコンピュータ機器を示す構成図である。図５６において５７は、送信データ切換えスイッチ、５８は赤外線ワイヤレスデータ伝送用発光部である。
【００８１】
本実施例は、赤外線ワイヤレスデータ伝送が送信可能なコンピュータ機器の発光部を時分割信号ＳRGBの発光用として共用するもので、赤外線ワイヤレスデータ伝送用の送信データとＦＭ変調された時分割信号は送信データ切換えスイッチ５７にて選択され、赤外線ワイヤレスデータ伝送用発光部５８に供給され、赤外光として発光・送信される。
【００８２】
実施の形態１４．
伝送帯域圧縮の送信に対応した受信装置を説明する。即ち、実施の形態１０に対応する受信装置である。
図５７は本実施の形態における画像伝送システムの受信装置を示す構成図である。図５７において、５９はクロック発生回路８のクロックを２分周する２分周器である。図５８は本実施の形態のＲ用メモリ回路３４ＲＢの詳細を示し、図５０の構成に加えて、アドレス生成回路３４Ｒ１２には、クロックとしてクロック発生回路８のクロック（２ＣＬＫ）および２分周器５９の出力（ＣＬＫ）が供給される。さらに、切換え制御信号ＲＧＢ／ＳRGB、ＲSが供給される。図５９は、アドレス生成回路３４Ｒ１２の一部を示し、３４Ｒ１２１はインバータ、３４Ｒ１２２は２入力ＡＮＤゲート、３４Ｒ１２３はインバータ、３４Ｒ１２４はインバータ、３４Ｒ１２５はＡＮＤ  ０Ｒゲート、３４Ｒ１２６はＡＮＤ  ０Ｒゲートである。
【００８３】
本実施の形態では、伝送前の処理は実施の形態１０の方法によるものである。クロック発生回路８では、ＲＧＢあるいは、伝送された信号ＳRGBの画素クロックの２倍の周波数のクロック（２ＣＬＫ）を発生する。従って２分周器５９の出力が画素クロック（ＣＬＫ）となる。
【００８４】
切換え制御信号ＲＧＢ／ＳRGBが、通常のＲＧＢ入力による画素変換のとき、すなわちローレベルである時は図５９の２入力ＡＮＤゲート３４Ｒ１２２の出力はＲSの状態にかかわらずローレベルとなり、インバータ３４Ｒ１２４の出力はハイレベルとなる。従って、ＡＮＤ  ＯＲゲート３４Ｒ１２５はＣＬＫを通し、メモリＡ３４Ｒ０２Ａのアドレス生成用として供給される。また、インバータ３４Ｒ１２３の出力はハイレベルであり、ＡＮＤ  ＯＲゲート３４Ｒ１２６もＣＬＫを通し、メモリＢ３４Ｒ０２Ｂのアドレス生成用として供給される。以上により、アドレス生成回路３４Ｒ１２は実施の形態１１の同様に、ＲSの状態にかかわらずＶ、Ｈ、ＣＬＫをもとに書き込み、読み出しアドレスを生成し、メモリＡ３４Ｒ０２Ａ、メモリＢ３４Ｒ０２Ｂの書き込み、読み出しが行われ、実施の形態１１と同じの画素変換のための動作として行われる。
【００８５】
切換え制御信号ＲＧＢ／ＳRGBが、時分割多重信号のメモリ動作のとき、すなわちハイレベルの時、アドレス生成回路３４Ｒ１２の２入力ＡＮＤゲート３４Ｒ１２２はＲSの状態に左右され、ＲSがハイレベルの時はインバータ３４Ｒ１２１によりローレベルとなり、２入力ＡＮＤゲート３４Ｒ１２２も出力ローレベルとなる。従って、ＡＮＤ  ＯＲゲート３４Ｒ１２５はＣＬＫを通し、メモリＡ３４Ｒ０２Ａのアドレス生成用として供給される。ＲSがハイレベルの時はメモリＡ３４Ｒ０２Ａは書き込み状態であるのでＳRGBの画素クロックＣＬＫをもとに書き込まれる。
【００８６】
ＲSがローレベルの時はインバータ３４Ｒ１２１によりハイレベルとなり、切換え制御信号ＲＧＢ／ＳRGBがハイレベルであるので、２入力ＡＮＤゲート３４Ｒ１２２も出力ハイレベルとなる。従ってＡＮＤ  ＯＲゲート３４Ｒ１２５は２ＣＬＫを通し、メモリＡ３４Ｒ０２Ａのアドレス生成用として供給される。２ＣＬＫをもとに生成されたアドレスは２倍のクロックレートとなっている。ＲSがローレベルの期間メモリＡ３４Ｒ０２Ａは読み出し状態であり、２倍のクロックレート、すなわち書き込み時の２倍のスピードで読み出され、アドレス生成を１フレーム分のアドレス生成後、繰り返し最初からアドレス生成させることにより同じデータが２回繰り返し読み出される。これにより伝送前に２倍の時間に伸長された信号がもとの時間に戻される。図６０にこの様子をしめす。
【００８７】
ＡＮＤ  ＯＲゲート３４Ｒ１２６はＲSの状態に関係せず、切換え制御信号ＲＧＢ／ＳRGBがハイレベルであるので２ＣＬＫを通し、メモリＢ３４Ｒ０２Ｂのアドレス生成用として供給される。従って図６０に示すようにメモリＢ３４Ｒ０２Ｂは２倍のクロックレートで書き込み、読み出しが行われる。メモリＢ３４Ｒ０２Ｂへの書き込み、読み出しは同一のクロックに基づいたアドレスによるので、書き込まれたメモリＡ３４Ｒ０２Ａからの読み出し信号をＧSがハイレベルの期間そのまま書き込み、ＧSがローレベルの期間書き込みと同じレートで読み出される。
【００８８】
スイッチ３２Ｒ０６は実施の形態１１と同様、ＲS、ＧSに基づき図６０に示すように切換えられ、丸で囲んだデータが選択される。これにより伝送後のＳRGBのＲデータにたいし、６回同じデータが読み出され、スイッチ３２Ｒ０６以降は実施の形態１１と同一に動作する。これにより、もとの画素クロック／同期周波数レートの戻すことができる。
【００８９】
Ｇ用メモリ回路３４Ｇ、Ｂ用メモリ回路３４Ｂも上記Ｒ用メモリ回路３４Ｒと同一の動作を行ない、２倍の時間に伸長された時分割多重信号ＳRGBはもとの時間にもどされ、連続した並列のＲＧＢ信号が得られる。
【００９０】
実施の形態１５．
実施の形態１０における伝送帯域の圧縮を行うか、またはそのままの帯域で伝送するかを選択する方式としてもよい。
図６１は本実施の形態における画像伝送システムの送信装置を示す構成図である。図６１において６０は、４つの連動するスイッチからなる時分割モード切換えスイッチである。図６２は本実施の形態における時分割スイッチ制御回路を示す構成図であり、図において、４１０６は３系統の信号を連動して選択するセレクタ、４１０７はインバータ、４１０８は抵抗である。
【００９１】
時分割モード切換えスイッチ６０の一つのスイッチは時分割スイッチ制御回路４１に接続され、図６２に示すように、電源に接続された抵抗４１０８をプルアップ抵抗として、インバータ４１０７およびセレクタ４１０６の３つの制御入力に接続される。したがって時分割モード切換えスイッチ６０を図６１において上へ切換えればローレベルが供給される。この時、インバータ４１０７の出力がハイレベルとなり、セレクタ４１０６の対応する入力がセレクタ４１０６の出力となる。すなわち、実施の形態１０と同じ信号すなわち２入力ＮＯＲゲート４１０２の出力（図６３ＲS−２）、２入力ＮＯＲゲート４１０５の出力（図６３ＧS−２）、２入力ＡＮＤゲート４１０４の出力（図６３ＢS−２）がセレクタ４１０６をとおる。また、時分割モード切換えスイッチ６０のほかの３つのスイッチも上へ切り換わっており、２分周回路４３、４４、４５の出力がおのおのアドレス発生回路へ供給され、全体の動作も実施の形態１０と同様となる。
【００９２】
次に時分割モード切換えスイッチ６０が下に切り換わった場合は、時分割スイッチ制御回路４１では、ＲS−２の代わりに図６３ＧSが、図６３ＧS−２の代わりに図６３ＢSが、図６３ＢS−２の代わりに図６３ＲSがセレクタ４１０６をとおる。また、時分割モード切換えスイッチ６０のほかの３つのスイッチも下へ切り換わっており、アドレス発生回路４６へは２分周回路４３、４４、４５の出力の代わりにそれぞれ２分周前のものが供給され、メモリ３８Ｒ、３８Ｇ、３８Ｂの読み出し時のも書込み時と同じアドレスが供給される。これによりメモリ３８Ｒ、３８Ｇ、３８Ｂからの読み出しも書き込みと同じ時間でおこなわれ、図６３のハッチングをしたＲＥＡＤの部分のよみだしデータが時分割スイッチ３９で選択され、Ｄ／Ａコンバータ４０に供給される。この動作は実施の形態１の動作と同一である。以上により時分割モード切換えスイッチ６０により時分割モードを３フレームに１フレームの割合か、６フレームに１フレームするかを切換えることができる。
【００９３】
実施の形態１６．
実施の形態１４で示した帯域圧縮後の受信信号を２倍速度で復元する受信装置の他の例を説明する。即ち、図６４は本実施の形態における画像伝送システムの受信装置を示す構成図である。図６４において、６１はメモリ３４Ｒ、３４Ｇ、３４Ｂの読み出しスピードを書き込み時と同じにするか、２倍とするかを切換える、読み出しスピード切換えスイッチである。また、図６５はＲ用メモリ回路メモリ３４ＲＣを示し、図４７に示す実施の形態１６に加えて、アドレス生成回路３４Ｒ１２には、読み出しスピード切換えスイッチ６１からの信号、クロックとしてクロック発生回路８のクロック（２ＣＬＫ）および２分周器５９の出力（ＣＬＫ）が供給される。図６６はＲ用メモリ回路３４ＲＣのアドレス生成回路３４Ｒ１２の一部を示し、図６６において、図５９に示す回路で示した同番号の同等要素以外の要素として、３４Ｒ１２７は３入力ＡＮＤゲート、３４Ｒ１２８は２入力ＡＮＤゲート、３４Ｒ１２９はインバータである。
【００９４】
読み出しスピード切換えスイッチ６１はメモリ３４Ｒ、３４Ｇ、３４Ｂに接続され、おのおののアドレス生成回路３４Ｒ１２、３４Ｇ１２，３４Ｂ１２に供給される。また、クロック発生回路８は画素クロックの２倍の周波数のクロック（２ＣＬＫ）を発生する。
【００９５】
ここで図６６に示すＲ用メモリ回路３４ＲＣのアドレス生成回路３４Ｒ１２Ｃの動作について説明する。切換え制御信号ＲＧＢ／ＳRGBが、通常のＲＧＢ入力による画素変換のとき、すなわちローレベルである時は図６６の３入力ＡＮＤゲート３４Ｒ１２７、２入力ＡＮＤゲート３４Ｒ１２８の出力はともにＲS、および読み出しスピード切換えスイッチ６１の状態にかかわらず出力はローレベルとなり、
図５９に示す実施の形態２３の切換え制御信号ＲＧＢ／ＳRGBが、通常のＲＧＢ入力による画素変換のときと同一動作を行い、実施の形態１１と同じ画素変換のための動作として行われる。
【００９６】
次に切換え制御信号ＲＧＢ／ＳRGBが、時分割多重信号のメモリ動作のとき、すなわちハイレベルの時を説明する。まず、読み出しスピード切換えスイッチ６１が図６４において下側に切換えられた時すなわちローレベルの時は、切換え制御信号ＲＧＢ／ＳRGBがローレベルの時と同様に、３入力ＡＮＤゲート３４Ｒ１２７、２入力ＡＮＤゲート３４Ｒ１２８の出力はともにＲSの状態にかかわらず出力はローレベルとなり、切換え制御信号ＲＧＢ／ＳRGBが、ローレベルの時と同様の動作を行なう。従ってメモリＡ３４Ｒ０２Ａ、メモリＢ３４Ｒ０２ＢへのアドレスはクロックＣＬＫをもとに生成され、書き込み、読み出し同一クロックレートで行われる。これは、実施の形態１６におけるＳRGB入力時の動作と同一である。
【００９７】
次に読み出しスピード切換えスイッチ６１が図６４において上側に切換えられた時すなわちハイレベルの時を説明する。まず、ＲSがハイレベルの時、３入力ＡＮＤゲート３４Ｒ１２７の出力はローレベルとなる。従ってＡＮＤ  ＯＲゲート３４Ｒ１２５はクロックＣＬＫを通し、メモリＡ３４Ｒ０２Ａのアドレス生成用として供給される。ＲSがハイレベルの時はメモリＡ３４Ｒ０２Ａは書き込み状態であるのでＳRGBの画素クロックＣＬＫをもとに書き込まれる。
【００９８】
ＲSがローレベルの時はインバータ３４Ｒ１２１によりハイレベルとなり、切換え制御信号ＲＧＢ／ＳRGBがハイレベルであるので、３入力ＡＮＤゲート３４Ｒ１２７も出力ハイレベルとなる。従ってＡＮＤ  ＯＲゲート３４Ｒ１２５は２ＣＬＫを通し、メモリＡ３４Ｒ０２Ａのアドレス生成用として供給される。２ＣＬＫをもとに生成されたアドレスは２倍のクロックレートとなっている。ＲSがローレベルの期間メモリＡ３４Ｒ０２Ａは読み出し状態であり、２倍のクロックレート、すなわち書き込み時の２倍のスピードで読み出され、アドレス生成を１フレーム分のアドレス生成後、繰り返し最初からアドレス生成させることにより同じデータが２回繰り返し読み出される。これにより伝送前に２倍の時間に伸長された信号がもとの時間に戻される。これは実施の形態２３の図６０に示す動作と同一である。
【００９９】
ＡＮＤ  ＯＲゲート３４Ｒ１２６はＲSの状態に関係せず、切換え制御信号ＲＧＢ／ＳRGB、読み出しスピード切換えスイッチ６１がハイレベルであるので２入力ＡＮＤゲート３４Ｒ１２８の出力はハイレベルとなり、ＡＮＤ  ＯＲゲート３４Ｒ１２６は２ＣＬＫを通し、メモリＢ３４Ｒ０２Ｂのアドレス生成用として供給される。従って図６０に示す実施の形態１４と同様にメモリＢ３４Ｒ０２Ｂは２倍のクロックレートで書き込み、読み出しが行われる。メモリＢ３４Ｒ０２Ｂへの書き込み、読み出しは同一のクロックに基づいたアドレスによるので、書き込まれたメモリＡ３４Ｒ０２Ａからの読み出し信号をＧSがハイレベルの期間そのまま書き込み、ＧSがローレベルの期間書き込みと同じレートで読み出される。
【０１００】
スイッチ３２Ｒ０６は実施の形態１４と同様、ＲS、ＧSに基づき図６０に示すように切換えられ、丸で囲んだデータが選択される。これにより伝送後のＳRGBのＲデータにたいし、６回同じデータが読み出され、スイッチ３２Ｒ０６以降は実施の形態１６と同一に動作する。これにより、もとの画素クロック／同期周波数レートの戻すことができる。
【０１０１】
Ｇ用メモリ回路３４Ｇ、Ｂ用メモリ回路３４Ｂも上記Ｒ用メモリ回路３４ＲＣと同一の動作を行ない、２倍の時間に伸長された時分割多重信号ＳRGBはもとの時間にもどされ、連続した並列のＲＧＢ信号が得られる。
以上実施の形態１４の切換え制御信号ＲＧＢ／ＳRGBが、ハイレベルすなわち時分割多重信号のメモリ動作のときと同様である。
以上のように切換え制御信号ＲＧＢ／ＳRGBが、ハイレベルすなわち時分割多重信号のメモリ動作のとき、読み出しスピード切換えスイッチ６１により時分割多重信号を伝送前の処理にあわせた、メモリ処理ができる。
【０１０２】
図６７は本実施の形態における画像伝送システムの更に他の受信装置を示す構成図である。図６７において、６２は２入力ＡＮＤゲートであり、切換え制御信号ＲＧＢ／ＳRGB、読み出しスピード切換えスイッチ６１の出力の論理積をとり、出力はクロック発生回路８に供給され、クロック周波数を伝送信号の画素クロックと同一とするか２倍とするかを制御する。２入力ＡＮＤゲート６２の出力がハイレベルの時クロック発生回路８は伝送信号の画素クロックの２倍のクロックを発生する。図６８はＲ用メモリ回路３４ＲＤのアドレス生成回路３４Ｒ１２の一部を示し、図において、３４Ｒ１３０は３入力ＡＮＤゲート、３４Ｒ１３１はインバータである。
【０１０３】
切換え制御信号ＲＧＢ／ＳRGBがローレベルの時は、２入力ＡＮＤゲート６２の出力はローレベルであり、クロック発生回路８は伝送信号の画素クロックと同一の周波数のクロックを発生する。図６８において、３入力ＡＮＤゲート３４Ｒ１３０の出力もローレベルであり、ＡＮＤ  ＯＲゲート３４Ｒ１２５はクロック発生回路８の出力、すなわち伝送信号の画素クロックと同一の周波数のクロックを通し、メモリＡアドレス生成用として供給される。メモリＢアドレス生成用には常にクロック発生回路８の出力が供給されているので、メモリＢアドレス生成用にも伝送信号の画素クロックと同一の周波数のクロックが供給される。これにより、切換え制御信号ＲＧＢ／ＳRGBがローレベルの時すなわちＲＧＢ信号処理時は実施の形態１４と同一の動作をする。
【０１０４】
次に切換え制御信号ＲＧＢ／ＳRGBがハイレベルの時を説明する。読み出しスピード切換えスイッチ６１がローレベルの時は、２入力ＡＮＤゲート６２の出力はローレベルであり、クロック発生回路８は伝送信号の画素クロックと同一の周波数のクロックを発生する。図６８において、３入力ＡＮＤゲート３４Ｒ１３０の出力もローレベルであり、ＡＮＤ  ＯＲゲート３４Ｒ１２５はクロック発生回路８の出力、すなわち伝送信号の画素クロックと同一の周波数のクロックを通し、メモリＡアドレス生成用として供給される。メモリＢアドレス生成用には常にクロック発生回路８の出力が供給されているので、メモリＢアドレス生成用にも伝送信号の画素クロックと同一の周波数のクロックが供給される。一方Ｒ用メモリ回路３４Ｒは切換え制御信号ＲＧＢ／ＳRGBがハイレベルの時の動作として、実施の形態１４と同様に動作し、時分割多重信号ＳRGBの書き込み、読み出し同一スピードのメモリ処理が行なわれる。
【０１０５】
次に切換え制御信号ＲＧＢ／ＳRGBがハイレベル、読み出しスピード切換えスイッチ６１もハイレベルでＲSもハイレベルの時を説明する。この時２入力ＡＮＤゲート６２の出力はハイレベルとなり、クロック発生回路８は伝送信号の画素クロックの２倍の周波数のクロックを発生する。図６８において、３入力ＡＮＤゲート３４Ｒ１３０の出力もハイレベルとなり、ＡＮＤ  ＯＲゲート３４Ｒ１２５はクロック発生回路８の出力を２分周器５９で２分周した、伝送信号の画素クロックと同一の周波数のクロックを通し、メモリＡアドレス生成用として供給される。ＲSがハイレベルの時はメモリＡ３４Ｒ０２Ａは書き込み状態であるのでＳRGBの画素クロックＣＬＫをもとに書き込まれる。
メモリＢアドレス生成用には常にクロック発生回路８の出力が供給されているので、メモリＢアドレス生成用には伝送信号の画素クロックの２倍の周波数のクロックが供給され、メモリＢ３４Ｒ０２Ｂは伝送信号の画素クロックの２倍の周波数のクロックレートで読み出しが行われる。
【０１０６】
次に切換え制御信号ＲＧＢ／ＳRGBがハイレベル、読み出しスピード切換えスイッチ６１もハイレベルでＲSがローレベルの時を説明する。この時３入力ＡＮＤゲート３４Ｒ１３０の出力はローレベルとなりＡＮＤ  ＯＲゲート３４Ｒ１２５はクロック発生回路８の出力すなわち、伝送信号の画素クロックの２倍の周波数のクロックを通し、メモリＡアドレス生成用として供給される。ＲSがローレベルの時はメモリＡ３４Ｒ０２Ａは読み出し状態であるのでＳRGBの画素クロックの２倍の周波数のクロックレートで読み出しが行われる。
メモリＢアドレス生成用にはＲSの状態は関係しないので、ＲSがハイレベルの時と同様に、伝送信号の画素クロックの２倍の周波数のクロックが供給され、メモリＢ３４Ｒ０２Ｂは伝送信号の画素クロックの２倍の周波数のクロックレートで書き込み、読み出しが行われる。
【０１０７】
以上により図６７の構成では、読み出しスピード切換えスイッチ６１の切換えにより図６４の構成と同一の動作をさせることができるが、図６４のものではクロック発生回路８は常に伝送信号の画素クロックの２倍のクロックを発生する必要があり、時分割多重信号ＳRGBが伝送前に２倍に時間伸長してないときも伝送前の入力信号の画素クロックの２倍という高い周波数を発生する必要があるが、図６７のものでは伝送前に２倍に時間伸長しているかどうかにかかわらず、伝送前の入力信号の画素クロックと同一の周波数のクロックを発生すればよい。
【０１０８】
図６９は本実施の形態による画像伝送システムの更に他の受信装置を示す構成図である。図６９において、６３は伝送されたＳRGBの垂直走査周期が所定の値より長いか短いかを判定する垂直走査周期判定回路であり、所定の値より長いときはハイローレベル、短いときはローレベルを出力する。垂直走査周期判定回路６３の出力は図６４に示す、実施の形態２５の読み出しスピード切換えスイッチ６１の出力のかわりにＲ用メモリ回路３４Ｒ、Ｇ用メモリ回路３４Ｇ、Ｂ用メモリ回路３４Ｂに供給される。
図７０は垂直走査周期判定回路６３の構成を示し、６３０１は入力の立上りエンジでトリガされる再トリガ可能なワンショットマルチバイブレータ、６３０２は入力の立上りエッジでトリガされるＤフリップフロップ、６３０３はインバータである。
【０１０９】
垂直走査周期判定回路６３で伝送されたＳRGBの垂直走査周期を所定の値を２５ｍｓ（垂直周波数４０Ｈｚ）程度として長短を比較すれば、実際のＲＧＢ映像機器の垂直同期周波数が６０Ｈｚ以上あり、伝送前に時間を２倍に伸長したかどうか判定できる。図７０のワンショットマルチバイブレータ６３０１のパルス幅を２５ｍｓとし、垂直同期信号Ｖの立上りエッジでトリガをかける。この様子を図７１に示す。始めに伝送前にクロックレートを１／２に落として伝送した場合を示す（図７１左半分；垂直周期３４ｍｓ）。ワンショットマルチバイブレータ６３０１は垂直同期信号Ｖの立上りエッジでトリガされ２５ｍｓハイレベルのパルスを出力する。入力Ｖは周期３４ｍｓなので再トリガされずローレベルに戻る。Ｄフリップフロップ６３０２のクロック入力には垂直同期信号Ｖをインバータ６３０３により極性反転したものが入力されているので、Ｄフリップフロップ６３０２の反転出力はハイレベルとなり、判定出力として出力される。次に伝送前でのクロックレートが元（１／１）に切り換わった場合は、垂直同期信号Ｖの周期は１７ｍｓとなり、ワンショットマルチバイブレータ６３０１のパルス幅より短くなる。これにより、ワンショットマルチバイブレータ６３０１は再トリガ可能であるので、出力がローレベルになる前に再トリガされ、出力は常にハイレベルとなる。従って、Ｄフリップフロップ６３０２の反転出力はローレベルとなり、判定出力として出力される。この判定結果を先の読み出しスピード切換えスイッチ６１の出力のかわりに使用すれば、自動的に処理を切換えることができる。
【０１１０】
実施の形態１７．
伝送部分の構成について説明する。
図７２、図７３、図７４、図７５は本実施の形態における画像伝送システムの送信装置と受信装置を示す構成図である。図７２、図７３において、６４は同軸ケーブルの特性インピーダンスを出力インピーダンスとする同軸駆動増幅器、６５は入力インピーダンスが同軸ケーブルの特性インピーダンスである入力増幅器、６６も入力インピーダンスが同軸ケーブルの特性インピーダンスである入力増幅器、６７は同軸ケーブルの特性インピーダンスを出力インピーダンスとする同軸駆動増幅器である。また、１００は時分割多重信号生成ユニット、２００は時分割多重信号受信処理ユニット、３００は赤外線伝送ユニット、４００は赤外線受光ユニットである。
【０１１１】
本実施の形態は、実施の形態１等で示した画像伝送システムをそれぞれの回路ごとにユニット化し、それらを同軸ケーブルで接続するものである。図７２において、時分割多重信号生成ユニット１００の加算器５までで実施の形態１と同様動作し時分割多重信号ＳRGBを生成する。この時分割多重信号ＳRGBは同軸駆動増幅器６４により増幅され、同軸ケーブルを駆動する。同軸ケーブルにて時分割多重信号生成ユニット１００に接続された時分割多重信号受信処理ユニット２００では同軸ケーブルの特性インピーダンスで終端された入力増幅器６５で伝送信号を増幅し、Ａ／Ｄコンバータ９に供給し、以下実施の形態１と同様に動作し、ＲＧＢ信号同期信号を得る。
【０１１２】
図７３においては、時分割多重信号生成ユニット１００には同軸ケーブルを介して赤外線伝送ユニット３００が接続される。赤外線伝送ユニット３００の入力には同軸ケーブルの特性インピーダンスで終端された入力増幅器６６が接続され、増幅する。以降は実施の形態１の図１６の構成と同様に動作し、赤外線が発射される。
赤外線受光ユニット４００は赤外線を受光し、ＦＭ復調回路２２で時分割多重信号ＳRGBを得る。この信号ＳRGBは同軸駆動増幅器６７で増幅され、同軸ケーブルを介し、時分割多重信号受信処理ユニット２００に接続される。時分割多重信号受信処理ユニット２００では図７２の構成と同様に動作し、ＲＧＢ信号同期信号を得る。
【０１１３】
図７２、図７３の実際の機器、ユニット間の接続を示したのが図７４、図７５である。
以上のように本実施の形態では、画像伝送システムの要素ごとをユニット化することにより、同軸伝送でも赤外線ワイヤレス伝送でも簡単にユニット接続を変更することで対応可能となる。また、赤外線伝送の場合、発光、受光部が独立してユニット化されているので小形化でき、赤外線の光軸あわせが簡単にできる。
【０１１４】
実施の形態１８．
送信側からの画像送信がない場合の受信側の画像再生について説明する。
図７６は本実施の形態における画像伝送システムの受信装置を示す構成図である。図７６において、６８はクロック発生回路８の出力クロックをもとに水平同期信号Ｈ２、垂直同期信号Ｖ２を生成する同期生成回路、６９はクロック発生回路８のクロック発生を水平同期信号に同期させるか自走とするか切換えるクロック切換えスイッチであり、自走させるときはハイレベルを、同期させる時はローレベルをＣＬＫSとして出力する。
クロック発生回路８Ｂの詳細構成を図７７に示す。図７７において、８０５は固定電圧源、８０６はＣＬＫSにより制御される自走／同期切換えスイッチであり、ＶＣＯ８０１の制御線圧を位相比較器８０４の出力とするか（ＣＬＫS：ローレベル）、固定電圧源８０５とするか（ＣＬＫS：ハイレベル）切換える。
メモリ制御回路１１Ｂの詳細構成を図７８に示す。図７８において１１０３は２入力ＡＮＤゲートである。
図７９はＲ用メモリ回路３４ＲＥを示し、アドレス生成回路３４Ｒ１２には、水平同期信号Ｈ、垂直同期信号Ｖ、クロックＣＬＫに加えて水平同期信号Ｈ２、垂直同期信号Ｖ２、クロック切換えスイッチ６９出力ＣＬＫSが供給される。
【０１１５】
通常は、実施の形態１１等で他に示すように、クロックは水平同期信号Ｈに同期したもので信号処理させる。この時はクロック切換えスイッチ６９はハイレベルを出力し、図７７のクロック発生回路８の自走／同期切換えスイッチ８０６はＶＣＯ８０１の制御線圧を位相比較器８０４の出力を選択する。
メモリ制御回路１１にもＣＬＫSが供給されるが、ハイレベルであるので２入力ＡＮＤゲート１１０３を通らず、カウンタ１１０１のリセットはＩＤのみとなり、実施の形態１１等と同様である。
クロック切換えスイッチ６９出力ＣＬＫSはアドレス生成回路３４Ｒ１２に供給され、メモリへのアドレス生成を同期信号Ｈ、Ｖに基づき行なうか、Ｈ２、Ｖ２に基づき行なうかを制御する。ハイレベルの時は、実施の形態１１他と同様メモリへのアドレス生成を同期信号Ｈ、Ｖに基づき行なうよう制御する。
【０１１６】
次にクロックを自走クロックとするよう、クロック切換えスイッチ６９を切換えた場合、クロック切換えスイッチ６９はローレベルを出力し、図７７のクロック発生回路８の自走／同期切換えスイッチ８０６はＶＣＯ８０１の制御線圧として固定電圧源８０５を選択する。これにより、ＶＣＯ８０１は自走状態となり、与えられた固定電圧源８０５の電圧に対応する周波数のクロックを発生する。同期生成回路６８はこのクロックをもとに、あらかじめ定められたタイミング関係の水平、垂直同期信号Ｈ２、Ｖ２を生成する。
一方、メモリ制御回路１１の２入力ＡＮＤゲート１１０３には、ローレベルのＣＬＫSが供給されるので、２入力ＡＮＤゲート１１０３の出力はローレベルとなり、カウンタ１１０１は常にリセット状態となる。従って、図８０に示すようにＲSがハイレベル、ＧSがローレベルとなる。これにより、メモリＢ３４Ｒ０２Ｂは常に読み出しモードとなり、スイッチ３４Ｒ０６は常に１を選択し、メモリＢ３４Ｒ０２Ｂの内容がつねに読み出される。
さらにアドレス生成回路３４Ｒ１２はＣＬＫSがローレベルの時はＣＬＫ、同期信号Ｈ２、Ｖ２をもとにアドレス生成を行なう。
以上のようにメモリＢ３４Ｒ０２ＢはＣＬＫSがローレベルの間書き込まれることはなく、ＣＬＫSが切り換わる直前に伝送された画像を表示しつける。
アドレスも自走クロックをもとに生成した同期信号から生成されるので、ＳRGBがなくなっても影響はない。
【０１１７】
図８１は本実施の形態における画像伝送システムの他の受信装置を示す構成図である。図８１において、７０は、ＳRGBが伝送されているかどうか信号検出する、信号検出回路であり、信号検出した時ハイレベルとする。
【０１１８】
図８１の構成は、図７６におけるクロック切換えスイッチ６９のかわりに信号検出回路７０を用いる構成である。この構成によると、ＳRGBが伝送されてないときはローレベルがＣＬＫSとして出力されるので、信号が伝送されなくなると、直前に伝送された画像を表示することができる。
【０１１９】
実施の形態１９．
図８２は本実施の形態における画像伝送システムの送信装置と受信装置と受信装置を示す構成図である。図８２において、７１は、水平同期信号の周期が所定の値より大きいか、小さいかを判定する水平周期計測回路であり、所定の値より大きい（周波数が低い）時および無入力の時ハイレベルを出力する。
【０１２０】
本実施の形態は実施の形態６の図３２中の時分割制御回路３１の制御として水平周期計測回路７２の出力を使用するものである。同期分離回路１６は実施の形態３と同様Ｇ入力に接続されたＧ信号から同期信号を抜き取り、水平、垂直同期信号に分離する。同期分離回路１６の水平同期信号出力は、水平周期計測回路７１に入力される。水平周期計測回路７１の周期判定のしきい値をＮＴＳＣ信号やＰＡＬ信号の水平周期約６４μｓとＰＣの通常一番長い水平周期約３２μｓとの間の４５μｓ程度として判定すれば、ＮＴＳＣ／ＰＡＬ信号かＰＣの信号かが判定できる。ＮＴＳＣ／ＰＡＬ信号はこのしきい値より水平周期が長いので、水平周期計測回路７１はハイレベルを出力し、時分割制御回路３１はＧ入力を常に選択するよう動作し、自動的に切換えることができる。
【０１２１】
実施の形態２０．
図８３は本実施の形態における画像伝送システムの送信装置と受信装置を示す構成図である。図８３において５００は時分割多重信号生成ユニットであり、赤外線伝送ユニットを内蔵する。
時分割多重信号生成ユニット５００は実施の形態１７の図７２、図７３に示す、時分割多重信号生成ユニット１００において、加算器５の出力を同軸駆動増幅器６４およびＦＭ変調回路１７に供給する。同軸駆動増幅器６４の出力は実施の形態１７と同様外部に出力される。一方ＦＭ変調回路１７以降は、実施の形態１７に示す赤外線伝送ユニット３００と同一である。すなわち、時分割多重信号生成ユニット５００は同軸ケーブル伝送と赤外線ワイヤレス伝送が同時に行なえる。図８４に各ユニットの接続を示す。
【０１２２】
【発明の効果】
以上のようにこの発明によれば、基本構成の画像受信装置は、Ｒ・Ｇ・Ｂ各色の記憶した前フレームの色信号を読み出す各色信号毎のメモリと、限定送信されたＲ・Ｇ・Ｂの現フレームの色信号をから対応スイッチを制御する同期分離回路とを備えたので、間引かれて限定送信された色信号と前フレームの色信号とで、少ない色情報から高品質で明るい受信画像が得られる効果がある。
【０１２３】
また基本構成の画像送信装置は、Ｒ・Ｇ・Ｂ各色信号の内から定められた数の色信号のみをフレーム毎に順次選択するスイッチと、走査線計測回路を備えたので、フレーム毎の送信色信号として、選択された色信号のみでよくて送信量を少なくでき、また伝送画像の質対応で適切な伝送周波数帯域を選べる効果がある。
【０１２４】
また更に、受信信号中の１フレームの走査線数を計測する走査線計測回路を備えたので、伝送画像の質対応で適切な伝送周波数帯域を選べる効果がある。
【０１２５】
また更に、走査線数情報を符号化する符号化回路を備えたので、受信装置を簡易化して伝送画像の質対応で適切な伝送周波数帯域を選べる効果がある。
【０１２６】
また更に、受信信号中の１フレームの走査線数情報を復号する走査線情報復号回路を備えたので、簡易に伝送画像の質対応で適切な伝送周波数帯域を選べる効果がある。
【０１２７】
また更に、分離されたＲ・Ｇ・Ｂ各色信号毎に送信用バッファメモリを備えて、書き込み速度より低速で読み出して色信号を送信するようにしたので、伝送帯域を更に低減するか、または複数の色信号を同時送信できる効果がある。
【０１２８】
また更に、各色信号毎のメモリの読み出しクロックを書き込みクロックとは異なる周期も設けたので、低帯域による低速送信された色信号を復元できる効果がある。
【０１２９】
この発明による画像伝送システムは、Ｒ・Ｇ・Ｂ各色信号の内から定められた数の色信号のみをフレーム毎に順次選択するスイッチを備えて、フレーム毎の送信色信号を限定した画像送信装置と、Ｒ・Ｇ・Ｂ各色の前フレームの色信号を記憶、再生する各色信号毎のメモリと、送信されたＲ・Ｇ・Ｂの少なくとも１つの現フレームの色信号を検出して対応スイッチを制御する同期分離回路とを備えた画像受信装置、とで構成されるので、間引かれて限定送信された色信号と前フレームの色信号とで、少ない色情報から高品質で明るい画像伝送システムが得られる効果がある。
【図面の簡単な説明】
【図１】  この発明の実施の形態１における画像伝送システムの構成図である。
【図２】  実施の形態１における画像伝送システムの送信側クランプ回路の構成図である。
【図３】  実施の形態１の送信側同期混合回路出力の波形を示す図である。
【図４】  実施の形態１における画像伝送システムの送信側カウンタの構成図である。
【図５】  実施の形態１の送信側カウンタの内部波形ＱＡ、ＱＢ（Ｇｓ、Ｂｓ）を示す図である。
【図６】  実施の形態１の送信側加算器５の出力ＳRGBの波形を示す図である。
【図７】  実施の形態１における画像伝送システムの受信側同期分離回路の構成図である。
【図８】  実施の形態１の受信側同期分離回路の内部波形を示す図である。
【図９】  実施の形態１における画像伝送システムの受信側メモリ制御回路の構成図である。
【図１０】  実施の形態１における画像伝送システムの受信側クロック発生回路の構成図である。
【図１１】  実施の形態１における画像伝送システムの受信側Ｒ用メモリ回路の構成図である。
【図１２】  実施の形態１における画像伝送システムの他の送信装置の構成図である。
【図１３】  実施の形態１における他の送信側同期分離回路の構成図である。
【図１４】  実施の形態１における画像伝送システムの他の送信装置の構成図である。
【図１５】  実施の形態１における他の送信側同期分離回路の構成図である。
【図１６】  実施の形態１における他の画像伝送システムの構成を示す図である。
【図１７】  実施の形態１における送信側ＦＭ変調回路および赤外発光ダイオード駆動回路の構成図である。
【図１８】  実施の形態１における受信側増幅回路の構成図である。
【図１９】  実施の形態１における受信側ＦＭ復調回路の構成図である。
【図２０】  実施の形態１における受信側ＦＭ復調回路の内部動作波形を示す図である。
【図２１】  実施の形態１における他の受信側増幅器の構成図である。
【図２２】  この発明の実施の形態２における画像伝送システムの構成図である。
【図２３】  実施の形態２における受信側ＦＭ変調回路の構成図である。
【図２４】  実施の形態２における受信側ＦＭ復調回路および受信処理切換スイッチ、クロック発生回路の構成図である。
【図２５】  この発明の実施の形態３における画像伝送システムの受信装置の構成図である。
【図２６】  実施の形態３における受信側クロック発生回路、スイッチ、計測回路の構成図である。
【図２７】  この発明の実施の形態４における画像伝送システムの送信装置の構成図である。
【図２８】  実施の形態４における送信側計測回路の構成図である。
【図２９】  実施の形態４における他の画像伝送システムの構成図である。
【図３０】  実施の形態４における他の送信側計測回路、符号化器の構成図である。
【図３１】  この発明の実施の形態５における画像伝送システムの構成図である。
【図３２】  この発明の実施の形態６における画像伝送システムの構成図である。
【図３３】  実施の形態６における他の画像伝送システムの構成図である。
【図３４】  実施の形態６における送信側計測回路の構成図である。
【図３５】  この発明の実施の形態７における画像伝送システムの送信側同期混合回路の構成図である。
【図３６】  実施の形態７における画像伝送システムの各部波形を示す図である。
【図３７】  実施の形態７における受信側同期分離回路の構成図である。
【図３８】  実施の形態７における画像伝送システムの受信側各部波形を示す図である。
【図３９】  実施の形態７における画像伝送システムの他の送信側同期混合回路の構成図である。
【図４０】  実施の形態７における他の送信側各部波形を示す図である。
【図４１】  実施の形態７における他の受信側同期分離回路の構成図である。
【図４２】  この発明の実施の形態８における画像伝送システムの構成図である。
【図４３】  実施の形態８における送信側２分周回路の構成図である。
【図４４】  実施の形態８における受信側復調回路の波形を示す図である。
【図４５】  実施の形態８における他の画像伝送システムの構成図である。
【図４６】  この発明の実施の形態９における表示装置の示す構成図である。
【図４７】  この発明の実施の形態１０における画像伝送システムの構成図である。
【図４８】  実施の形態１０における送信側時分割スイッチ制御回路の構成図である。
【図４９】  実施の形態１０における画像伝送システムの送信側各部波形を示す図である。
【図５０】  この発明の実施の形態１１における表示装置の構成図である。
【図５１】  実施の形態１１におけるメモリ回路の構成図である。
【図５２】  実施の形態１１における表示装置の動作を説明するタイミング図である。
【図５３】  この発明の実施の形態１２における表示装置の構成図である。
【図５４】  実施の形態１２におけるコンピュータ機器の構成図である。
【図５５】  この発明の実施の形態１３における表示装置の構成図である。
【図５６】  実施の形態１３におけるコンピュータ機器の構成図である。
【図５７】  この発明の実施の形態１４における画像伝送システムの受信装置の構成図である。
【図５８】  実施の形態１４における受信側Ｒ用メモリ回路の構成図である。
【図５９】  実施の形態１４における受信側アドレス生成回路の構成図である。
【図６０】  実施の形態１４における受信側メモリへの動作を説明する図である。
【図６１】  この発明の実施の形態１５における画像伝送システムの送信装置の構成図である。
【図６２】  実施の形態１５における送信側の時分割スイッチ制御回路の構成図である。
【図６３】  実施の形態１５における画像伝送システムの送信装置各部の動作波形を示す図である。
【図６４】  この発明の実施の形態１６における画像伝送システムの受信装置の構成図である。
【図６５】  実施の形態１６における受信側Ｒ用メモリ回路の構成図である。
【図６６】  実施の形態１６における受信側アドレス生成回路の構成図である。
【図６７】  実施の形態１６における画像伝送システムの他の受信装置の構成図である。
【図６８】  実施の形態１６における受信側の他のアドレス生成回路を示す構成図である。
【図６９】  実施の形態１６における画像伝送システムの他の受信装置の構成図である。
【図７０】  実施の形態１６における垂直走査周期判定回路６３の構成図である。
【図７１】  実施の形態１６における他の受信装置動作を説明するための波形図である。
【図７２】  この発明の実施の形態１７における画像伝送システムの構成図である。
【図７３】  実施の形態１７における他の画像伝送システムの構成図である。
【図７４】  実施の形態１７における他の画像伝送システムの接続構成図である。
【図７５】  実施の形態１８における他の画像伝送システムの接続構成図である。
【図７６】  この発明の実施の形態１８における画像伝送システムの受信装置の構成図である。
【図７７】  実施の形態１８における受信側クロック発生回路の構成図である。
【図７８】  実施の形態１８における受信側メモリ制御回路の構成図である。
【図７９】  実施の形態１８における受信側Ｒ用メモリ回路の構成図である。
【図８０】  実施の形態１８における受信装置の動作を説明するための波形図である。
【図８１】  実施の形態１８における画像伝送システムの他の受信装置を示す構成図である。
【図８２】  この発明の実施の形態１９における画像伝送システムの構成図である。
【図８３】  この発明の実施の形態２０における画像伝送システムの構成図である。
【図８４】  実施の形態２０の画像伝送システムにおける接続構成図である。
【図８５】  従来の画像伝送システムを示す構成図である。
【図８６】  従来の画像伝送システムの各部波形を示す図である。
【図８７】  従来の画像伝送システムの各部波形を示す図である。
【図８８】  従来の画像伝送システムの各部波形を示す図である。
【符号の説明】
１Ｒ  Ｒ用クランプ回路、１Ｒ  Ｇ用クランプ回路、１Ｂ  Ｂ用クランプ回路、２，２Ｃ  同期混合回路、３  カウンタ、４  スイッチ、５  加算器、６  伝送回路、７，７Ｂ，７Ｃ  同期分離回路、８，８Ｂ  クロック発生回路、９  Ａ／Ｄコンバータ、１０  分配スイッチ、１１，１１Ｂ  メモリ制御回路、１２ＲＲ用メモリ回路、１２Ｇ  Ｇ用メモリ回路、１２Ｂ  Ｂ用メモリ回路、１３ＲＲ用Ｄ／Ａコンバータ、１３Ｇ  Ｇ用Ｄ／Ａコンバータ、１３Ｂ  Ｂ用Ｄ／Ａコンバータ、１４Ｒ  Ｒ用増幅回路、１４Ｇ  Ｇ用増幅回路、１４Ｂ  Ｂ用増幅回路、１５  同期分離回路、１６  同期分離回路、１７，１７Ｂ  ＦＭ変調回路、１８  赤外発光ダイオード駆動回路、１９  赤外発光ダイオード、２０  受光ダイオード、２１  増幅回路、２２  ＦＭ復調回路、２３  増幅器、２４  ＦＭ搬送周波数切換えスイッチ、２５，２５Ｂ  受信処理切換えスイッチ、２６  計測回路、２７，２７Ｂ，２７Ｃ  計測回路、２８  符号化器、２９  復号器、３０  ＮＴＳＣ／ＰＣ切換スイッチ、３１  時分割制御回路、３２  ２分周器、３３  スイッチ、３４Ｒ，３４ＲＢ，３４ＲＣ，３４ＲＤ，３４ＲＥ  Ｒ用メモリ回路、３４Ｇ，３４ＧＢ，３４ＧＣ，３４ＧＤ，３４ＧＥ  Ｇ用メモリ回路、３４Ｂ，３４ＢＢ，３４ＢＣ，３４ＢＤ，３４ＢＥ  Ｂ用メモリ回路、３５  画素変換入力切換えスイッチ、３６Ｒ 加算器、３７Ｒ  Ｒ回路用Ａ／Ｄコンバータ、３８Ｒ  Ｒ回路用メモリ、３９  時分割スイッチ、４０  Ｄ／Ａコンバータ、４１  時分割スイッチ制御回路、４２  クロック発生回路、４３  ２分周回路、４４  ２分周回路、４５  ２分周回路、４６  アドレス発生回路、４７  ＲＧＢ入力コネクタ、４８  ＳRGB入力コネクタ、４９  ＲＧＢスイッチ、５０  表示駆動回路および表示素子、５１  バッファＡＭＰ、５２  ＳRGB出力コネクタ、５３  パーソナルコンピュータ本体、５４ ＲＧＢ出力コネクタ、５５  赤外線ワイヤレスデータ伝送用受光部、５６  受信データ処理部、５７  送信データ切換えスイッチ、５８  赤外線ワイヤレスデータ伝送用発光部、５９  時分割モード切換えスイッチ、６０  時分割モード切換えスイッチ、６１  読み出しスピード切換えスイッチ、６２  ２入力ＡＮＤゲート、６３  垂直走査周期判定回路、６４  同軸駆動増幅器、６５  入力増幅器、６６  入力増幅器、６７  同軸駆動増幅器、６８  同期生成回路、６９  クロック切換えスイッチ、７０  信号検出回路、７１  水平周期計測回路、１００  時分割多重信号生成ユニット、２００時分割多重信号受信処理ユニット、３００  赤外線伝送ユニット、４００  赤外線受光ユニット、５００  時分割多重信号生成ユニット、９１  カラーテレビカメラ、９２  第一の切替器、９３   符号器、９４  電話器、９５  伝送制御器、９６  伝送路入出力端、９７  復号器、９８  第二の切替器、９９  カラーテレビディスプレイ。
【図１】
0004514852.tif 000002
【図２】
0004514852.tif 000003
【図３】
0004514852.tif 000004
【図４】
0004514852.tif 000005
【図５】
0004514852.tif 000006
【図６】
0004514852.tif 000007
【図７】
0004514852.tif 000008
【図８】
0004514852.tif 000009
【図９】
0004514852.tif 000010
【図１０】
0004514852.tif 000011
【図１１】
0004514852.tif 000012
【図１２】
0004514852.tif 000013
【図１３】
0004514852.tif 000014
【図１４】
0004514852.tif 000015
【図１５】
0004514852.tif 000016
【図１６】
0004514852.tif 000017
【図１７】
0004514852.tif 000018
【図１８】
0004514852.tif 000019
【図１９】
0004514852.tif 000020
【図２０】
0004514852.tif 000021
【図２１】
0004514852.tif 000022
【図２２】
0004514852.tif 000023
【図２３】
0004514852.tif 000024
【図２４】
0004514852.tif 000025
【図２５】
0004514852.tif 000026
【図２６】
0004514852.tif 000027
【図２７】
0004514852.tif 000028
【図２８】
0004514852.tif 000029
【図２９】
0004514852.tif 000030
【図３０】
0004514852.tif 000031
【図３１】
0004514852.tif 000032
【図３２】
0004514852.tif 000033
【図３３】
0004514852.tif 000034
【図３４】
0004514852.tif 000035
【図３５】
0004514852.tif 000036
【図３６】
0004514852.tif 000037
【図３７】
0004514852.tif 000038
【図３８】
0004514852.tif 000039
【図３９】
0004514852.tif 000040
【図４０】
0004514852.tif 000041
【図４１】
0004514852.tif 000042
【図４２】
0004514852.tif 000043
【図４３】
0004514852.tif 000044
【図４４】
0004514852.tif 000045
【図４５】
0004514852.tif 000046
【図４６】
0004514852.tif 000047
【図４７】
0004514852.tif 000048
【図４８】
0004514852.tif 000049
【図４９】
0004514852.tif 000050
【図５０】
0004514852.tif 000051
【図５１】
0004514852.tif 000052
【図５２】
0004514852.tif 000053
【図５３】
0004514852.tif 000054
【図５４】
0004514852.tif 000055
【図５５】
0004514852.tif 000056
【図５６】
0004514852.tif 000057
【図５７】
0004514852.tif 000058
【図５８】
0004514852.tif 000059
【図５９】
0004514852.tif 000060
【図６０】
0004514852.tif 000061
【図６１】
0004514852.tif 000062
【図６２】
0004514852.tif 000063
【図６３】
0004514852.tif 000064
【図６４】
0004514852.tif 000065
【図６５】
0004514852.tif 000066
【図６６】
0004514852.tif 000067
【図６７】
0004514852.tif 000068
【図６８】
0004514852.tif 000069
【図６９】
0004514852.tif 000070
【図７０】
0004514852.tif 000071
【図７１】
0004514852.tif 000072
【図７２】
0004514852.tif 000073
【図７３】
0004514852.tif 000074
【図７４】
0004514852.tif 000075
【図７５】
0004514852.tif 000076
【図７６】
0004514852.tif 000077
【図７７】
0004514852.tif 000078
【図７８】
0004514852.tif 000079
【図７９】
0004514852.tif 000080
【図８０】
0004514852.tif 000081
【図８１】
0004514852.tif 000082
【図８２】
0004514852.tif 000083
【図８３】
0004514852.tif 000084
【図８４】
0004514852.tif 000085
【図８５】
0004514852.tif 000086
【図８６】
0004514852.tif 000087
【図８７】
0004514852.tif 000088
【図８８】
0004514852.tif 000089